(57)【要約】      （修正有）【課題】ダウンリンクサブフレーム構成またはアップリンクサブフレーム構成の少なくとも１つを動的かつ／または確実に示すための方法および装置を提供する。【解決手段】サブフレームのセットのうちのどのサブフレームがアップリンク送信用であるかダウンリンク送信用であるかの少なくとも１つを示す第１のサブフレーム構成を含む情報ブロックメッセージをブロードキャストすることと、１つまたは複数のユーザ機器（ＵＥ）との通信を処理するために適切な第２のサブフレーム構成を決定することと、１つまたは複数のＵＥに第２のサブフレーム構成のインジケーションをシグナリングすることと、を含む。他の方法は、そのようなブロードキャスト情報ブロックメッセージを受信することと、基地局との通信を処理するために適切な第２のサブフレーム構成を示すシグナリングを受信することと、第２のサブフレーム構成に従って基地局と通信することと、を含む。【選択図】図６
2020092441.tif 000002
【特許請求の範囲】
【請求項１】
ワイヤレス通信のための方法であって、
サブフレームのセットのうちのどのサブフレームがアップリンク送信用であるか、またはサブフレームの前記セットのうちのどのサブフレームがダウンリンク送信用であるかの少なくとも１つを示す第１のサブフレーム構成を含む情報ブロックメッセージをブロードキャストすることと、
１つまたは複数のユーザ機器（ＵＥ）との通信を処理するために適切な第２のサブフレーム構成を決定することと、
前記１つまたは複数のＵＥに前記第２のサブフレーム構成のインジケーションをシグナリングすることと
を備える方法。
【請求項２】
１つまたは複数のＵＥとの前記通信は、ＵＥのためのダウンリンクデータのバーストを備え、
前記第２のサブフレーム構成は、前記第１のサブフレーム構成よりも多くのダウンリンク送信用サブフレームを備える、
請求項１に記載の方法。
【請求項３】
１つまたは複数のＵＥとの前記通信は、ＵＥからのアップリンクデータのバーストを備え、
前記第２のサブフレーム構成は、前記第１のサブフレーム構成よりも多くのアップリンク送信用サブフレームを備える、
請求項１に記載の方法。
【請求項４】
前記第２のサブフレーム構成は、サブフレーム構成を含む別の情報ブロックメッセージをブロードキャストする前にシグナリングされる、
請求項１に記載の方法。
【請求項５】
前記第２のサブフレーム構成は、専用シグナリングを介して１つまたは複数の個別ＵＥにシグナリングされる、
請求項１に記載の方法。
【請求項６】
前記第２のサブフレーム構成は、物理ダウンリンク制御チャネル（ＰＤＣＣＨ）または拡張物理ダウンリンク制御チャネル（ｅＰＤＣＣＨ）の少なくとも１つを介してシグナリングされる、
請求項５に記載の方法。
【請求項７】
前記第２のサブフレーム構成は、前記ＰＤＣＣＨまたは前記ｅＰＤＣＣＨの少なくとも１つにおける情報フィールドを介してシグナリングされる、
請求項６に記載の方法。
【請求項８】
前記シグナリングは、前記第２のサブフレーム構成を利用するための持続時間のインジケーションも提供する、
請求項１に記載の方法。
【請求項９】
前記シグナリングは、前記第２のサブフレーム構成がいつ用いられるかのインジケーションも提供する、
請求項１に記載の方法。
【請求項１０】
前記第２のサブフレーム構成は、制御チャネル送信を介してシグナリングされ、
前記第２のサブフレーム構成を示すための前記制御チャネル送信の少なくとも１つの物理レイヤ特性は、前記第２のサブフレーム構成に基づく、
請求項１に記載の方法。
【請求項１１】
前記制御チャネル送信は、制御チャネル復号候補のセットを備え、前記復号候補の第１のサブセットの少なくとも１つの物理レイヤ特性は、前記第２のサブフレーム構成に基づく一方、前記復号候補の第２のサブセットの物理レイヤ特性は、前記第２のサブフレーム構成に基づかない、
請求項１０に記載の方法。
【請求項１２】
前記第２のサブフレーム構成は、マルチキャストシグナリングまたはブロードキャストシグナリングの少なくとも１つを介してシグナリングされる、
請求項１に記載の方法。
【請求項１３】
データチャネル送信または制御チャネル送信の少なくとも１つの１つまたは複数の部分の少なくとも１つの物理レイヤ特性は、前記第２のサブフレーム構成に基づく、
請求項１に記載の方法。
【請求項１４】
制御チャネル送信のための１つまたは複数のリソース要素（ＲＥ）のロケーションは、前記第２のサブフレーム構成に依存する、
請求項１に記載の方法。
【請求項１５】
前記シグナリングは、所定の数、ブロードキャスト信号、または無線リソース制御信号に基づいて繰り返される、
請求項１に記載の方法。
【請求項１６】
ダウンリンクデータ送信に応答したハイブリッド自動再送要求（ＨＡＲＱ）応答のためのアップリンクサブフレームのインジケーションをシグナリングすることをさらに備え、前記インジケーションは、物理ダウンリンク制御チャネル（ＰＤＣＣＨ）または拡張物理ダウンリンク制御チャネル（ｅＰＤＣＣＨ）の少なくとも１つにおける情報フィールドを介してシグナリングされる、
請求項１に記載の方法。
【請求項１７】
アップリンクデータ送信のためのアップリンクサブフレームのインジケーションをシグナリングすることをさらに備え、前記インジケーションは、物理ダウンリンク制御チャネル（ＰＤＣＣＨ）または拡張物理ダウンリンク制御チャネル（ｅＰＤＣＣＨ）の少なくとも１つにおける情報フィールドを介してシグナリングされる、
請求項１に記載の方法。
【請求項１８】
アップリンクデータ送信に応答したハイブリッド自動再送要求（ＨＡＲＱ）応答または制御チャネルのためのダウンリンクサブフレームのインジケーションをシグナリングすることをさらに備え、前記インジケーションは、物理ダウンリンク制御チャネル（ＰＤＣＣＨ）または拡張物理ダウンリンク制御チャネル（ｅＰＤＣＣＨ）の少なくとも１つにおける情報フィールドを介してシグナリングされる、
請求項１に記載の方法。
【請求項１９】
ワイヤレス通信のための方法であって、
サブフレームのセットのうちのどのサブフレームがアップリンク送信用であるか、またはサブフレームの前記セットのうちのどのサブフレームがダウンリンク送信用であるかの少なくとも１つを示す第１のサブフレーム構成を含むブロードキャスト情報ブロックメッセージを受信することと、
基地局との通信を処理するために適切な第２のサブフレーム構成を示すシグナリングを受信することと、
前記第２のサブフレーム構成に従って前記基地局と通信することと
を備える方法。
【請求項２０】
前記基地局と通信することは、前記基地局からのダウンリンクデータのバーストを備え、
前記第２のサブフレーム構成は、前記第１のサブフレーム構成よりも多くのダウンリンク送信用サブフレームを備える、
請求項１９に記載の方法。
【請求項２１】
前記基地局と通信することは、前記基地局のためのアップリンクデータのバーストを備え、
前記第２のサブフレーム構成は、前記第１のサブフレーム構成よりも多くのアップリンク送信用サブフレームを備える、
請求項１９に記載の方法。
【請求項２２】
前記第２のサブフレーム構成は、サブフレーム構成を含む別のブロードキャスト情報ブロックメッセージを受信する前にシグナリングされる、
請求項１９に記載の方法。
【請求項２３】
前記第２のサブフレーム構成は、専用シグナリングを介してシグナリングされる、
請求項２２に記載の方法。
【請求項２４】
前記第２のサブフレーム構成は、物理ダウンリンク制御チャネル（ＰＤＣＣＨ）または拡張物理ダウンリンク制御チャネル（ｅＰＤＣＣＨ）の少なくとも１つを介してシグナリングされる、
請求項２３に記載の方法。
【請求項２５】
前記第２のサブフレーム構成は、前記ＰＤＣＣＨまたは前記ｅＰＤＣＣＨの少なくとも１つにおける情報フィールドを介してシグナリングされる、
請求項２４に記載の方法。
【請求項２６】
前記シグナリングは、前記第２のサブフレーム構成を利用するための持続時間のインジケーションも提供する、
請求項１９に記載の方法。
【請求項２７】
前記シグナリングは、前記第２のサブフレーム構成がいつ用いられるかのインジケーションも提供する、
請求項１９に記載の方法。
【請求項２８】
前記第２のサブフレーム構成は、制御チャネル送信を介してシグナリングされ、
前記第２のサブフレーム構成を示すための前記制御チャネル送信の少なくとも１つの物理レイヤ特性は、前記第２のサブフレーム構成に基づく、
請求項１９に記載の方法。
【請求項２９】
前記制御チャネル送信は、制御チャネル復号候補のセットを備え、前記復号候補の第１のサブセットの少なくとも１つの物理レイヤ特性は、前記第２のサブフレーム構成に基づく一方、前記復号候補の第２のサブセットの物理レイヤ特性は、前記第２のサブフレーム構成に基づかない、
請求項２８に記載の方法。
【請求項３０】
データチャネル送信または制御チャネル送信の少なくとも１つの１つまたは複数の部分の少なくとも１つの物理レイヤ特性は、前記第２のサブフレーム構成に基づく、
請求項１９に記載の方法。
【請求項３１】
前記シグナリングは、所定の数、ブロードキャスト信号、または無線リソース制御信号に基づいて繰り返される、
請求項１９に記載の方法。
【請求項３２】
前記第２のサブフレーム構成の前記インジケーションの前記シグナリングは、前記制御チャネル送信の少なくとも１つの異なる物理レイヤ特性により繰り返される、
請求項３１に記載の方法。
【請求項３３】
第２のサブフレーム構成を示すシグナリングが適切に検出されなかった場合に、基地局との通信を処理するために所定のサブフレーム構成を利用することをさらに備える、
請求項１９に記載の方法。
【請求項３４】
前記第２のサブフレーム構成は、マルチキャストシグナリングまたはブロードキャストシグナリングの少なくとも１つを介してシグナリングされる、
請求項１９に記載の方法。
【請求項３５】
制御チャネル送信のための１つまたは複数のリソース要素（ＲＥ）のロケーションは、前記第２のサブフレーム構成に依存する、
請求項１９に記載の方法。
【請求項３６】
ダウンリンクデータ送信に応答したハイブリッド自動再送要求（ＨＡＲＱ）応答のためのアップリンクサブフレームを示すシグナリングを受信することをさらに備え、アップリンクサブフレームを示す前記シグナリングは、物理ダウンリンク制御チャネル（ＰＤＣＣＨ）または拡張物理ダウンリンク制御チャネル（ｅＰＤＣＣＨ）の少なくとも１つにおける情報フィールドを含む、
請求項１９に記載の方法。
【請求項３７】
アップリンクデータ送信のためのアップリンクサブフレームを示すシグナリングを受信することをさらに備え、アップリンクサブフレームを示す前記シグナリングは、物理ダウンリンク制御チャネル（ＰＤＣＣＨ）または拡張物理ダウンリンク制御チャネル（ｅＰＤＣＣＨ）の少なくとも１つにおける情報フィールドを含む、
請求項１９に記載の方法。
【請求項３８】
アップリンクデータ送信に応答したハイブリッド自動再送要求（ＨＡＲＱ）応答または制御チャネルのためのダウンリンクサブフレームを示すシグナリングを受信することをさらに備え、ダウンリンクサブフレームを示す前記シグナリングは、物理ダウンリンク制御チャネル（ＰＤＣＣＨ）または拡張物理ダウンリンク制御チャネル（ｅＰＤＣＣＨ）の少なくとも１つにおける情報フィールドを含む、
請求項１９に記載の方法。
【請求項３９】
ワイヤレス通信のための方法であって、
サブフレームのセットのうちのどのサブフレームがアップリンク送信用であるか、またはサブフレームの前記セットのうちのどのサブフレームがダウンリンク送信用であるかの少なくとも１つを示すサブフレーム構成を含む情報ブロックメッセージをブロードキャストすることと、
物理ダウンリンク制御チャネル（ＰＤＣＣＨ）または拡張物理ダウンリンク制御チャネル（ｅＰＤＣＣＨ）の少なくとも１つにおける情報フィールドを介して、ハイブリッド自動再送要求（ＨＡＲＱ）プロセスの少なくとも１つに、またはアップリンクデータ送信に使用される前記サブフレームの少なくとも１つのインジケーションをシグナリングすることと
を備える方法。
【請求項４０】
前記インジケーションをシグナリングすることは、ダウンリンクデータ送信に応答したハイブリッド自動再送要求（ＨＡＲＱ）応答のためのアップリンクサブフレームのインジケーションをシグナリングすることを含む、
請求項３９に記載の方法。
【請求項４１】
前記インジケーションをシグナリングすることは、アップリンクデータ送信のためのアップリンクサブフレームのインジケーションをシグナリングすることを含む、
請求項３９に記載の方法。
【請求項４２】
前記インジケーションをシグナリングすることは、アップリンクデータ送信に応答したハイブリッド自動再送要求（ＨＡＲＱ）応答または制御チャネルのためのダウンリンクサブフレームのインジケーションをシグナリングすることを含む、
請求項３９に記載の方法。
【請求項４３】
ワイヤレス通信のための方法であって、
サブフレームのセットのうちのどのサブフレームがアップリンク送信用であるか、またはサブフレームの前記セットのうちのどのサブフレームがダウンリンク送信用であるかの少なくとも１つを示すサブフレーム構成を含む情報ブロックメッセージを受信することと、
物理ダウンリンク制御チャネル（ＰＤＣＣＨ）または拡張物理ダウンリンク制御チャネル（ｅＰＤＣＣＨ）の少なくとも１つにおける情報フィールドを介して、ハイブリッド自動再送要求（ＨＡＲＱ）プロセスの少なくとも１つに、またはアップリンクデータ送信に使用される前記サブフレームの少なくとも１つのインジケーションを受信することと、
前記インジケーションに従って前記サブフレームの前記少なくとも１つを処理することと
を備える方法。
【請求項４４】
前記インジケーションを受信することは、ダウンリンクデータ送信に応答したハイブリッド自動再送要求（ＨＡＲＱ）応答のためのアップリンクサブフレームのインジケーションを受信することを含む、
請求項４３に記載の方法。
【請求項４５】
前記インジケーションを受信することは、アップリンクデータ送信のためのアップリンクサブフレームのインジケーションを受信することを含む、
請求項４４に記載の方法。
【請求項４６】
前記インジケーションを受信することは、アップリンクデータ送信に応答したハイブリッド自動再送要求（ＨＡＲＱ）応答または制御チャネルのためのダウンリンクサブフレームのインジケーションを受信することを含む、
請求項４３に記載の方法。
【請求項４７】
ワイヤレス通信のための方法であって、
物理ダウンリンク制御チャネル（ＰＤＣＣＨ）または拡張物理ダウンリンク制御チャネル（ｅＰＤＣＣＨ）の少なくとも１つにおける情報フィールドを介して、アップリンクデータ送信に使用される少なくとも１つのサブフレームのインジケーションをシグナリングすることと、
前記インジケーションに従った前記サブフレームの前記少なくとも１つを、サブフレームのセットのうちのどのサブフレームがアップリンク送信用であるか、またはサブフレームの前記セットのうちのどのサブフレームがダウンリンク送信用であるかの少なくとも１つを示すサブフレーム構成に気づいていないユーザ機器（ＵＥ）から受信することと
を備える方法。
【請求項４８】
前記インジケーションをシグナリングすることは、ダウンリンク送信のためのサブフレームに対して、アップリンクＡＣＫ／ＮＡＣＫ送信のためのアップリンクサブフレームのインジケーションをシグナリングすることを含む、
請求項４７に記載の方法。
【請求項４９】
ワイヤレス通信のための方法であって、
物理ダウンリンク制御チャネル（ＰＤＣＣＨ）または拡張物理ダウンリンク制御チャネル（ｅＰＤＣＣＨ）の少なくとも１つにおける情報フィールドを介して、サブフレームのセットのうちのどのサブフレームがアップリンク送信用であるか、またはサブフレームの前記セットのうちのどのサブフレームがダウンリンク送信用であるかの少なくとも１つを示すサブフレーム構成に気づくことなく、アップリンクデータ送信に使用される少なくとも１つのサブフレームのインジケーションを受信することと、前記インジケーションに従って前記サブフレームの前記少なくとも１つを送ることと
を備える方法。
【請求項５０】
前記インジケーションを受信することは、ダウンリンク送信のためのサブフレームに対して、アップリンクＡＣＫ／ＮＡＣＫ送信のためのアップリンクサブフレームのインジケーションを受信することを含む、
請求項４９に記載の方法。
【請求項５１】
ワイヤレス通信のための装置であって、
サブフレームのセットのうちのどのサブフレームがアップリンク送信用であるか、またはサブフレームの前記セットのうちのどのサブフレームがダウンリンク送信用であるかの少なくとも１つを示す第１のサブフレーム構成を含む情報ブロックメッセージをブロードキャストするための手段と、
１つまたは複数のユーザ機器（ＵＥ）との通信を処理するために適切な第２のサブフレーム構成を決定するための手段と、
前記１つまたは複数のＵＥに前記第２のサブフレーム構成のインジケーションをシグナリングするための手段と
を備える装置。
【請求項５２】
１つまたは複数のＵＥとの前記通信は、ＵＥのためのダウンリンクデータのバーストを備え、
前記第２のサブフレーム構成は、前記第１のサブフレーム構成よりも多くのダウンリンク送信用サブフレームを備える、
請求項５１に記載の装置。
【請求項５３】
１つまたは複数のＵＥとの前記通信は、ＵＥからのアップリンクデータのバーストを備え、
前記第２のサブフレーム構成は、前記第１のサブフレーム構成よりも多くのアップリンク送信用サブフレームを備える、
請求項５１に記載の装置。
【請求項５４】
前記第２のサブフレーム構成は、サブフレーム構成を含む別の情報ブロックメッセージをブロードキャストする前にシグナリングされる、
請求項５１に記載の装置。
【請求項５５】
前記第２のサブフレーム構成は、専用シグナリングを介して１つまたは複数の個別ＵＥにシグナリングされる、
請求項５１に記載の装置。
【請求項５６】
前記第２のサブフレーム構成は、物理ダウンリンク制御チャネル（ＰＤＣＣＨ）または拡張物理ダウンリンク制御チャネル（ｅＰＤＣＣＨ）の少なくとも１つを介してシグナリングされる、
請求項５５に記載の装置。
【請求項５７】
前記第２のサブフレーム構成は、マルチキャストシグナリングまたはブロードキャストシグナリングの少なくとも１つを介してシグナリングされる、
請求項５１に記載の装置。
【請求項５８】
ワイヤレス通信のための装置であって、
サブフレームのセットのうちのどのサブフレームがアップリンク送信用であるか、またはサブフレームの前記セットのうちのどのサブフレームがダウンリンク送信用であるかの少なくとも１つを示す第１のサブフレーム構成を含むブロードキャスト情報ブロックメッセージを受信するための手段と、
基地局との通信を処理するために適切な第２のサブフレーム構成を示すシグナリングを受信するための手段と、
前記第２のサブフレーム構成に従って前記基地局と通信するための手段と
を備える装置。
【請求項５９】
前記基地局と通信するための前記手段は、前記基地局からのダウンリンクデータのバーストを介して通信するための手段を備え、
前記第２のサブフレーム構成は、前記第１のサブフレーム構成よりも多くのダウンリンク送信用サブフレームを備える、
請求項５８に記載の装置。
【請求項６０】
前記基地局と通信するための手段は、前記基地局のためのアップリンクデータのバーストを介して通信するための手段を備え、
前記第２のサブフレーム構成は、前記第１のサブフレーム構成よりも多くのアップリンク送信用サブフレームを備える、
請求項５８に記載の装置。
【請求項６１】
前記第２のサブフレーム構成は、サブフレーム構成を含む別のブロードキャスト情報ブロックメッセージを受信する前にシグナリングされる、
請求項５８に記載の装置。
【請求項６２】
前記第２のサブフレーム構成は、専用シグナリングを介してシグナリングされる、
請求項６１に記載の装置。
【請求項６３】
前記第２のサブフレーム構成は、物理ダウンリンク制御チャネル（ＰＤＣＣＨ）または拡張物理ダウンリンク制御チャネル（ｅＰＤＣＣＨ）の少なくとも１つを介してシグナリングされる、
請求項６２に記載の装置。
【請求項６４】
前記シグナリングは、所定の数、ブロードキャスト信号、または無線リソース制御信号に基づいて繰り返される、
請求項５８に記載の装置。
【請求項６５】
前記第２のサブフレーム構成の前記インジケーションの前記シグナリングは、前記制御チャネル送信の少なくとも１つの異なる物理レイヤ特性により繰り返される、
請求項６４に記載の装置。
【請求項６６】
前記第２のサブフレーム構成は、マルチキャストシグナリングまたはブロードキャストシグナリングの少なくとも１つを介してシグナリングされる、
請求項５８に記載の装置。
【請求項６７】
ワイヤレス通信のための装置であって、
サブフレームのセットのうちのどのサブフレームがアップリンク送信用であるか、またはサブフレームの前記セットのうちのどのサブフレームがダウンリンク送信用であるかの少なくとも１つを示すサブフレーム構成を含む情報ブロックメッセージをブロードキャストするための手段と、
物理ダウンリンク制御チャネル（ＰＤＣＣＨ）または拡張物理ダウンリンク制御チャネル（ｅＰＤＣＣＨ）の少なくとも１つにおける情報フィールドを介して、ハイブリッド自動再送要求（ＨＡＲＱ）プロセスの少なくとも１つに、またはアップリンクデータ送信に使用される前記サブフレームの少なくとも１つのインジケーションをシグナリングするための手段と
を備える装置。
【請求項６８】
前記インジケーションをシグナリングするための前記手段は、ダウンリンクデータ送信に応答したハイブリッド自動再送要求（ＨＡＲＱ）応答のためのアップリンクサブフレームのインジケーションをシグナリングするための手段を含む、
請求項６７に記載の装置。
【請求項６９】
前記インジケーションをシグナリングするための前記手段は、アップリンクデータ送信のためのアップリンクサブフレームのインジケーションをシグナリングするための手段を含む、
請求項６７に記載の装置。
【請求項７０】
ワイヤレス通信のための装置であって、
サブフレームのセットのうちのどのサブフレームがアップリンク送信用であるか、またはサブフレームの前記セットのうちのどのサブフレームがダウンリンク送信用であるかの少なくとも１つを示すサブフレーム構成を含む情報ブロックメッセージを受信するための手段と、
物理ダウンリンク制御チャネル（ＰＤＣＣＨ）または拡張物理ダウンリンク制御チャネル（ｅＰＤＣＣＨ）の少なくとも１つにおける情報フィールドを介して、ハイブリッド自動再送要求（ＨＡＲＱ）プロセスの少なくとも１つに、またはアップリンクデータ送信に使用される前記サブフレームの少なくとも１つのインジケーションを受信するための手段と、
前記インジケーションに従って前記サブフレームの前記少なくとも１つを処理するための手段と
を備える装置。
【請求項７１】
前記インジケーションを受信するための前記手段は、ダウンリンクデータ送信に応答したハイブリッド自動再送要求（ＨＡＲＱ）応答のためのアップリンクサブフレームのインジケーションを受信するための手段を含む、
請求項７０に記載の装置。
【請求項７２】
前記インジケーションを受信するための前記手段は、アップリンクデータ送信のためのアップリンクサブフレームのインジケーションを受信するための手段を含む、
請求項７１に記載の装置。
【請求項７３】
ワイヤレス通信のための装置であって、
物理ダウンリンク制御チャネル（ＰＤＣＣＨ）または拡張物理ダウンリンク制御チャネル（ｅＰＤＣＣＨ）の少なくとも１つにおける情報フィールドを介して、アップリンクデータ送信に使用される少なくとも１つのサブフレームのインジケーションをシグナリングするための手段と、
前記インジケーションに従った前記サブフレームの前記少なくとも１つを、サブフレームのセットのうちのどのサブフレームがアップリンク送信用であるか、またはサブフレームの前記セットのうちのどのサブフレームがダウンリンク送信用であるかの少なくとも１つを示すサブフレーム構成に気づいていないユーザ機器（ＵＥ）から受信するための手段と
を備える装置。
【請求項７４】
前記インジケーションをシグナリングするための前記手段は、ダウンリンク送信のためのサブフレームに対して、アップリンクＡＣＫ／ＮＡＣＫ送信のためのアップリンクサブフレームのインジケーションをシグナリングするための手段を含む、
請求項７３に記載の装置。
【請求項７５】
ワイヤレス通信のための装置であって、
物理ダウンリンク制御チャネル（ＰＤＣＣＨ）または拡張物理ダウンリンク制御チャネル（ｅＰＤＣＣＨ）の少なくとも１つにおける情報フィールドを介して、サブフレームのセットのうちのどのサブフレームがアップリンク送信用であるか、またはサブフレームの前記セットのうちのどのサブフレームがダウンリンク送信用であるかの少なくとも１つを示すサブフレーム構成に気づくことなく、アップリンクデータ送信に使用される少なくとも１つのサブフレームのインジケーションを受信するための手段と、
前記インジケーションに従って前記サブフレームの前記少なくとも１つを送るための手段と
を備える装置。
【請求項７６】
前記インジケーションを受信するための前記手段は、ダウンリンク送信のためのサブフレームに対して、アップリンクＡＣＫ／ＮＡＣＫ送信のためのアップリンクサブフレームのインジケーションを受信するための手段を含む、
請求項７５に記載の装置。
【請求項７７】
ワイヤレス通信のための装置であって、
サブフレームのセットのうちのどのサブフレームがアップリンク送信用であるか、またはサブフレームの前記セットのうちのどのサブフレームがダウンリンク送信用であるかの少なくとも１つを示す第１のサブフレーム構成を含む情報ブロックメッセージをブロードキャストし、１つまたは複数のユーザ機器（ＵＥ）との通信を処理するために適切な第２のサブフレーム構成を決定し、前記１つまたは複数のＵＥに前記第２のサブフレーム構成のインジケーションをシグナリングするように構成される少なくとも１つのプロセッサと、
前記少なくとも１つのプロセッサに結合されたメモリと
を備える装置。
【請求項７８】
１つまたは複数のＵＥとの前記通信は、ＵＥのためのダウンリンクデータのバーストを備え、
前記第２のサブフレーム構成は、前記第１のサブフレーム構成よりも多くのダウンリンク送信用サブフレームを備える、
請求項７７に記載の装置。
【請求項７９】
１つまたは複数のＵＥとの前記通信は、ＵＥからのアップリンクデータのバーストを備え、
前記第２のサブフレーム構成は、前記第１のサブフレーム構成よりも多くのアップリンク送信用サブフレームを備える、
請求項７７に記載の装置。
【請求項８０】
前記第２のサブフレーム構成は、サブフレーム構成を含む別の情報ブロックメッセージをブロードキャストする前にシグナリングされる、
請求項７７に記載の装置。
【請求項８１】
ワイヤレス通信のための装置であって、
サブフレームのセットのうちのどのサブフレームがアップリンク送信用であるか、またはサブフレームの前記セットのうちのどのサブフレームがダウンリンク送信用であるかの少なくとも１つを示す第１のサブフレーム構成を含むブロードキャスト情報ブロックメッセージを受信し、基地局との通信を処理するために適切な第２のサブフレーム構成を示すシグナリングを受信し、前記第２のサブフレーム構成に従って前記基地局と通信するように構成される少なくとも１つのプロセッサと、
前記少なくとも１つのプロセッサに結合されたメモリと
を備える装置。
【請求項８２】
前記少なくとも１つのプロセッサは、前記基地局からのダウンリンクデータのバーストを介して前記基地局と通信するように構成され、
前記第２のサブフレーム構成は、前記第１のサブフレーム構成よりも多くのダウンリンク送信用サブフレームを備える、
請求項８１に記載の装置。
【請求項８３】
前記少なくとも１つのプロセッサは、前記基地局のためのアップリンクデータのバーストを介して前記基地局と通信するように構成され、
前記第２のサブフレーム構成は、前記第１のサブフレーム構成よりも多くのアップリンク送信用サブフレームを備える、
請求項８１に記載の装置。
【請求項８４】
前記第２のサブフレーム構成は、サブフレーム構成を含む別のブロードキャスト情報ブロックメッセージを受信する前にシグナリングされる、
請求項８１に記載の装置。
【請求項８５】
ワイヤレス通信のための装置であって、
サブフレームのセットのうちのどのサブフレームがアップリンク送信用であるか、またはサブフレームの前記セットのうちのどのサブフレームがダウンリンク送信用であるかの少なくとも１つを示すサブフレーム構成を含む情報ブロックメッセージをブロードキャストし、物理ダウンリンク制御チャネル（ＰＤＣＣＨ）または拡張物理ダウンリンク制御チャネル（ｅＰＤＣＣＨ）の少なくとも１つにおける情報フィールドを介して、ハイブリッド自動再送要求（ＨＡＲＱ）プロセスの少なくとも１つに、またはアップリンクデータ送信に使用される前記サブフレームの少なくとも１つのインジケーションをシグナリングするように構成される少なくとも１つのプロセッサと、
前記少なくとも１つのプロセッサに結合されたメモリと
を備える装置。
【請求項８６】
前記少なくとも１つのプロセッサは、前記インジケーションを、ダウンリンクデータ送信に応答したハイブリッド自動再送要求（ＨＡＲＱ）応答のためのアップリンクサブフレームのインジケーションを介してシグナリングするように構成される、
請求項８５に記載の装置。
【請求項８７】
前記少なくとも１つのプロセッサは、前記インジケーションを、アップリンクデータ送信のためのアップリンクサブフレームのインジケーションを介してシグナリングするように構成される、
請求項８５に記載の装置。
【請求項８８】
ワイヤレス通信のための装置であって、
サブフレームのセットのうちのどのサブフレームがアップリンク送信用であるか、またはサブフレームの前記セットのうちのどのサブフレームがダウンリンク送信用であるかの少なくとも１つを示すサブフレーム構成を含む情報ブロックメッセージを受信し、物理ダウンリンク制御チャネル（ＰＤＣＣＨ）または拡張物理ダウンリンク制御チャネル（ｅＰＤＣＣＨ）の少なくとも１つにおける情報フィールドを介して、ハイブリッド自動再送要求（ＨＡＲＱ）プロセスの少なくとも１つに、またはアップリンクデータ送信に使用される前記サブフレームの少なくとも１つのインジケーションを受信し、前記インジケーションに従った前記サブフレームの前記少なくとも１つを処理するように構成される少なくとも１つのプロセッサと、
前記少なくとも１つのプロセッサに結合されたメモリと
を備える装置。
【請求項８９】
前記少なくとも１つのプロセッサは、前記インジケーションを、ダウンリンクデータ送信に応答したハイブリッド自動再送要求（ＨＡＲＱ）応答のためのアップリンクサブフレームのインジケーションを介して受信するように構成される、
請求項８８に記載の装置。
【請求項９０】
前記少なくとも１つのプロセッサは、前記インジケーションを、アップリンクデータ送信のためのアップリンクサブフレームのインジケーションを介して受信するように構成される、
請求項８９に記載の装置。
【請求項９１】
ワイヤレス通信のための装置であって、
物理ダウンリンク制御チャネル（ＰＤＣＣＨ）または拡張物理ダウンリンク制御チャネル（ｅＰＤＣＣＨ）の少なくとも１つにおける情報フィールドを介して、アップリンクデータ送信に使用される少なくとも１つのサブフレームのインジケーションをシグナリングし、前記インジケーションに従った前記サブフレームの前記少なくとも１つを、サブフレームのセットのうちのどのサブフレームがアップリンク送信用であるか、またはサブフレームの前記セットのうちのどのサブフレームがダウンリンク送信用であるかの少なくとも１つを示すサブフレーム構成に気づいていないユーザ機器（ＵＥ）から受信するように構成される少なくとも１つのプロセッサと、
前記少なくとも１つのプロセッサに結合されたメモリと
を備える装置。
【請求項９２】
前記少なくとも１つのプロセッサは、前記インジケーションを、ダウンリンク送信のためのサブフレームに対して、アップリンクＡＣＫ／ＮＡＣＫ送信のためのアップリンクサブフレームのインジケーションを介してシグナリングするように構成される、
請求項９１に記載の装置。
【請求項９３】
ワイヤレス通信のための装置であって、
物理ダウンリンク制御チャネル（ＰＤＣＣＨ）または拡張物理ダウンリンク制御チャネル（ｅＰＤＣＣＨ）の少なくとも１つにおける情報フィールドを介して、サブフレームのセットのうちのどのサブフレームがアップリンク送信用であるか、またはサブフレームの前記セットのうちのどのサブフレームがダウンリンク送信用であるかの少なくとも１つを示すサブフレーム構成に気づくことなく、アップリンクデータ送信に使用される少なくとも１つのサブフレームのインジケーションを受信し、前記インジケーションに従って前記サブフレームの前記少なくとも１つを送るように構成される少なくとも１つのプロセッサと、
前記少なくとも１つのプロセッサに結合されたメモリと
を備える装置。
【請求項９４】
前記少なくとも１つのプロセッサは、前記インジケーションを、ダウンリンク送信のためのサブフレームに対して、アップリンクＡＣＫ／ＮＡＣＫ送信のためのアップリンクサブフレームのインジケーションを介して受信するように構成される、
請求項９３に記載の装置。
【請求項９５】
ワイヤレス通信のためのプログラム製品であって、
サブフレームのセットのうちのどのサブフレームがアップリンク送信用であるか、またはサブフレームの前記セットのうちのどのサブフレームがダウンリンク送信用であるかの少なくとも１つを示す第１のサブフレーム構成を含む情報ブロックメッセージをブロードキャストし、１つまたは複数のユーザ機器（ＵＥ）との通信を処理するために適切な第２のサブフレーム構成を決定することと、
前記１つまたは複数のＵＥに前記第２のサブフレーム構成のインジケーションをシグナリングすることと
を行うための命令をその上に記憶したコンピュータ可読媒体を備える、プログラム製品。
【請求項９６】
１つまたは複数のＵＥとの前記通信は、ＵＥのためのダウンリンクデータのバーストを備え、
前記第２のサブフレーム構成は、前記第１のサブフレーム構成よりも多くのダウンリンク送信用サブフレームを備える、
請求項９５に記載のプログラム製品。
【請求項９７】
ワイヤレス通信のためのプログラム製品であって、
サブフレームのセットのうちのどのサブフレームがアップリンク送信用であるか、またはサブフレームの前記セットのうちのどのサブフレームがダウンリンク送信用であるかの少なくとも１つを示す第１のサブフレーム構成を含むブロードキャスト情報ブロックメッセージを受信することと、
基地局との通信を処理するために適切な第２のサブフレーム構成を示すシグナリングを受信することと、
前記第２のサブフレーム構成に従って前記基地局と通信することと
を行うための命令をその上に記憶したコンピュータ可読媒体を備えるプログラム製品。
【請求項９８】
前記通信することは、前記基地局からのダウンリンクデータのバーストを介して前記基地局と通信することを備え、
前記第２のサブフレーム構成は、前記第１のサブフレーム構成よりも多くのダウンリンク送信用サブフレームを備える、
請求項９７に記載のプログラム製品。
【請求項９９】
ワイヤレス通信のためのプログラム製品であって、
サブフレームのセットのうちのどのサブフレームがアップリンク送信用であるか、またはサブフレームの前記セットのうちのどのサブフレームがダウンリンク送信用であるかの少なくとも１つを示すサブフレーム構成を含む情報ブロックメッセージをブロードキャストすることと、
物理ダウンリンク制御チャネル（ＰＤＣＣＨ）または拡張物理ダウンリンク制御チャネル（ｅＰＤＣＣＨ）の少なくとも１つにおける情報フィールドを介して、ハイブリッド自動再送要求（ＨＡＲＱ）プロセスの少なくとも１つに、またはアップリンクデータ送信に使用される前記サブフレームの少なくとも１つのインジケーションをシグナリングすることと
を行うための命令をその上に記憶したコンピュータ可読媒体を備える、プログラム製品。
【請求項１００】
前記インジケーションをシグナリングすることは、ダウンリンクデータ送信に応答したハイブリッド自動再送要求（ＨＡＲＱ）応答のためのアップリンクサブフレームのインジケーションを介したものである、
請求項９９に記載のプログラム製品。
【請求項１０１】
ワイヤレス通信のためのプログラム製品であって、
サブフレームのセットのうちのどのサブフレームがアップリンク送信用であるか、またはサブフレームの前記セットのうちのどのサブフレームがダウンリンク送信用であるかの少なくとも１つを示すサブフレーム構成を含む情報ブロックメッセージを受信することと、
物理ダウンリンク制御チャネル（ＰＤＣＣＨ）または拡張物理ダウンリンク制御チャネル（ｅＰＤＣＣＨ）の少なくとも１つにおける情報フィールドを介して、ハイブリッド自動再送要求（ＨＡＲＱ）プロセスの少なくとも１つに、またはアップリンクデータ送信に使用される前記サブフレームの少なくとも１つのインジケーションを受信することと、
前記インジケーションに従って前記サブフレームの前記少なくとも１つを処理することと
を行うための命令をその上に記憶したコンピュータ可読媒体を備える、プログラム製品。
【請求項１０２】
前記インジケーションを受信することは、ダウンリンクデータ送信に応答したハイブリッド自動再送要求（ＨＡＲＱ）応答のためのアップリンクサブフレームのインジケーションを介したものである、
請求項１０１に記載のプログラム製品。
【請求項１０３】
ワイヤレス通信のためのプログラム製品であって、
物理ダウンリンク制御チャネル（ＰＤＣＣＨ）または拡張物理ダウンリンク制御チャネル（ｅＰＤＣＣＨ）の少なくとも１つにおける情報フィールドを介して、アップリンクデータ送信に使用される少なくとも１つのサブフレームのインジケーションをシグナリングすることと、
前記インジケーションに従った前記サブフレームの前記少なくとも１つを、サブフレーム構成に気づいていないユーザ機器（ＵＥ）から受信することと、
サブフレームのセットのうちのどのサブフレームがアップリンク送信用であるか、またはサブフレームの前記セットのうちのどのサブフレームがダウンリンク送信用であるかの少なくとも１つを示すことと
を行うための命令をその上に記憶したコンピュータ可読媒体を備える、プログラム製品。
【請求項１０４】
前記インジケーションをシグナリングすることは、ダウンリンク送信のためのサブフレームに対して、アップリンクＡＣＫ／ＮＡＣＫ送信のためのアップリンクサブフレームのインジケーションを介したものである、
請求項１０３に記載のプログラム製品。
【請求項１０５】
ワイヤレス通信のためのプログラム製品であって、
物理ダウンリンク制御チャネル（ＰＤＣＣＨ）または拡張物理ダウンリンク制御チャネル（ｅＰＤＣＣＨ）の少なくとも１つにおける情報フィールドを介して、サブフレームのセットのうちのどのサブフレームがアップリンク送信用であるか、またはサブフレームの前記セットのうちのどのサブフレームがダウンリンク送信用であるかの少なくとも１つを示すサブフレーム構成に気づくことなく、アップリンクデータ送信に使用される少なくとも１つのサブフレームのインジケーションを受信することと、
前記インジケーションに従って前記サブフレームの前記少なくとも１つを送ることと
を行うための命令をその上に記憶したコンピュータ可読媒体を備える、プログラム製品。
【請求項１０６】
前記インジケーションを受信することは、ダウンリンク送信のためのサブフレームに対して、アップリンクＡＣＫ／ＮＡＣＫ送信のためのアップリンクサブフレームのインジケーションを介したものである、
請求項１０５に記載のプログラム製品。
【発明の詳細な説明】
【関連出願】
【０００１】
関連出願の相互参照  
[0001]本出願は、その全体が参照により本明細書に明確に組み込まれる、２０１２年５月１６日に出願された米国仮出願第６１／６４７，８１１号の優先権の利益を主張する。
【技術分野】
【０００２】
[0002]本開示のいくつかの態様は、一般に、ワイヤレスネットワークのためのサブフレーム構成のための方法および装置に関し、たとえば、ダウンリンクサブフレーム構成またはアップリンクサブフレーム構成の少なくとも１つを動的および／または確実に示すための方法および装置に関する。
【背景技術】
【０００３】
[0003]ワイヤレス通信システムは、音声、データなど、様々なタイプの通信コンテンツを提供するために広く展開されている。これらのシステムは、利用可能なシステムリソース（たとえば、帯域幅および送信電力）を共有することによって複数のユーザとの通信をサポートすることが可能な多元接続システムとすることができる。そのような多元接続システムの例は、符号分割多元接続（ＣＤＭＡ）システム、時分割多元接続（ＴＤＭＡ）システム、周波数分割多元接続（ＦＤＭＡ）システム、３rd  Ｇｅｎｅｒａｔｉｏｎ  Ｐａｒｔｎｅｒｓｈｉｐ  Ｐｒｏｊｅｃｔ（３ＧＰＰ（登録商標））Ｌｏｎｇ  Ｔｅｒｍ  Ｅｖｏｌｕｔｉｏｎ（ＬＴＥ（登録商標））システム、Ｌｏｎｇ  Ｔｅｒｍ  Ｅｖｏｌｕｔｉｏｎ  Ａｄｖａｎｃｅｄ（ＬＴＥ−Ａ）システムおよび直交周波数分割多元接続（ＯＦＤＭＡ）システムを含む。
【０００４】
[0004]概して、ワイヤレス多元接続通信システムは、複数のワイヤレス端末のための通信を同時にサポートすることができる。各端末は、順方向リンクおよび逆方向リンク上での送信を介して１つまたは複数の基地局と通信する。順方向リンク（またはダウンリンク）は、基地局から端末への通信リンクを指し、逆方向リンク（またはアップリンク）は、端末から基地局への通信リンクを指す。この通信リンクは、単入力単出力、多入力単出力または多入力多出力（ＭＩＭＯ）システムを介して確立され得る。
【０００５】
[0005]ワイヤレス通信技術が進歩するにつれて、ますます多くの異なる無線アクセス技術が利用されている。たとえば、現在、多くの地理的エリアが複数のワイヤレス通信システムによってサービスされており、ワイヤレス通信システムの各々は、１つまたは複数の異なるエアインターフェース技術を利用することがある。そのようなネットワーク環境におけるワイヤレス端末の汎用性を高めるために、最近、複数の無線技術の下で動作することができるマルチモードワイヤレス端末に対する志向が高まっている。たとえば、マルチモード実装により、端末は、ある地理的エリアにおいて、各々が異なる無線インターフェース技術を利用し得る複数のシステムの中からあるシステムを選択し、その後、１つまたは複数の選択されたシステムと通信することが可能になり得る。
【発明の概要】
【０００６】
[0006]本開示の一態様では、ワイヤレス通信のための方法が提供される。本方法は、一般に、サブフレームのセットのうちのどのサブフレームがアップリンク送信用であるか、またはサブフレームのセットのうちのどのサブフレームがダウンリンク送信用であるかの少なくとも１つを示す第１のサブフレーム構成を含む情報ブロックメッセージをブロードキャストすることと、１つまたは複数のユーザ機器（ＵＥ）との通信を処理するために適切な第２のサブフレーム構成を決定することと、１つまたは複数のＵＥに第２のサブフレーム構成のインジケーションをシグナリングすることとを含む。
【０００７】
[0007]本開示の一態様では、ワイヤレス通信のための装置が提供される。本装置は、一般に、サブフレームのセットのうちのどのサブフレームがアップリンク送信用であるか、またはサブフレームのセットのうちのどのサブフレームがダウンリンク送信用であるかの少なくとも１つを示す第１のサブフレーム構成を含む情報ブロックメッセージをブロードキャストするための手段と、１つまたは複数のユーザ機器との通信を処理するために適切な第２のサブフレーム構成を決定するための手段と、１つまたは複数のＵＥに第２のサブフレーム構成のインジケーションをシグナリングするための手段とを含む。
【０００８】
[0008]本開示の一態様では、コンピュータプログラム製品が提供される。本コンピュータプログラム製品は、一般に、サブフレームのセットのうちのどのサブフレームがアップリンク送信用であるか、またはサブフレームのセットのうちのどのサブフレームがダウンリンク送信用であるかの少なくとも１つを示す第１のサブフレーム構成を含む情報ブロックメッセージをブロードキャストすることと、１つまたは複数のユーザ機器との通信を処理するために適切な第２のサブフレーム構成を決定することと、１つまたは複数のＵＥに第２のサブフレーム構成のインジケーションをシグナリングすることとを行うためのコードを備えるコンピュータ可読媒体を含む。
【０００９】
[0009]本開示の一態様では、ワイヤレス通信のための装置が提供される。本装置は、一般に、サブフレームのセットのうちのどのサブフレームがアップリンク送信用であるか、またはサブフレームのセットのうちのどのサブフレームがダウンリンク送信用であるかの少なくとも１つを示す第１のサブフレーム構成を含む情報ブロックメッセージをブロードキャストし、１つまたは複数のユーザ機器との通信を処理するために適切な第２のサブフレーム構成を決定し、１つまたは複数のＵＥに第２のサブフレーム構成のインジケーションをシグナリングするように構成される処理システムを含む。
【００１０】
[0010]本開示の一態様では、ワイヤレス通信のための方法が提供される。本方法は、一般に、サブフレームのセットのうちのどのサブフレームがアップリンク送信用であるか、またはサブフレームのセットのうちのどのサブフレームがダウンリンク送信用であるかの少なくとも１つを示す第１のサブフレーム構成を含むブロードキャスト情報ブロックメッセージを受信することと、基地局との通信を処理するために適切な第２のサブフレーム構成を示すシグナリングを受信することと、第２のサブフレーム構成に従って基地局と通信することとを含む。
【００１１】
[0011]本開示の一態様では、ワイヤレス通信のための装置が提供される。本装置は、一般に、サブフレームのセットのうちのどのサブフレームがアップリンク送信用であるか、またはサブフレームのセットのうちのどのサブフレームがダウンリンク送信用であるかの少なくとも１つを示す第１のサブフレーム構成を含むブロードキャスト情報ブロックメッセージを受信するための手段と、基地局との通信を処理するために適切な第２のサブフレーム構成を示すシグナリングを受信するための手段と、第２のサブフレーム構成に従って基地局と通信するための手段とを含む。
【００１２】
[0012]本開示の一態様では、コンピュータプログラム製品が提供される。本コンピュータプログラム製品は、一般に、サブフレームのセットのうちのどのサブフレームがアップリンク送信用であるか、またはサブフレームのセットのうちのどのサブフレームがダウンリンク送信用であるかの少なくとも１つを示す第１のサブフレーム構成を含むブロードキャスト情報ブロックメッセージを受信することと、基地局との通信を処理するために適切な第２のサブフレーム構成を示すシグナリングを受信することと、第２のサブフレーム構成に従って基地局と通信することとを行うためのコードを備えるコンピュータ可読媒体を含む。
【００１３】
[0013]本開示の一態様では、ワイヤレス通信のための装置が提供される。本装置は、一般に、サブフレームのセットのうちのどのサブフレームがアップリンク送信用であるか、またはサブフレームのセットのうちのどのサブフレームがダウンリンク送信用であるかの少なくとも１つを示す第１のサブフレーム構成を含むブロードキャスト情報ブロックメッセージを受信し、基地局との通信を処理するために適切な第２のサブフレーム構成を示すシグナリングを受信し、第２のサブフレーム構成に従って基地局と通信するように構成される処理システムを含む。
【図面の簡単な説明】
【００１４】
[0014]本開示の態様および実施形態は、全体を通じて同様の参照符号が同様のものを指す図面とともに、以下に記載する発明を実施するための形態を読めばより明らかになろう。
【図１】本開示のいくつかの態様による、例示的な多元接続ワイヤレス通信システムを示す図。
【図２】本開示のいくつかの態様による、アクセスポイントおよびユーザ端末のブロック図。
【図３】本開示のいくつかの態様による、ワイヤレスデバイスにおいて利用され得る様々な構成要素を示す図。
【図４】本開示のいくつかの態様による、通信システムにおけるフレーム構造の一例を概念的に示すブロック図。
【図５】本開示のいくつかの態様による、ＴＤＤ−ＬＴＥ規格におけるフレーム中のダウンリンク／アップリンク（ＤＬ／ＵＬ）構成の例示的なリストを示す図。
【図６】本開示のいくつかの態様による、ワイヤレス通信デバイスの間で利用されるサブフレーム構成を動的に変更するための例示的な動作を示す図。
【図７】本開示のいくつかの態様による、ワイヤレス通信デバイスの間で利用されるサブフレーム構成の変更を検出するための例示的な動作を示す図。
【図８】本開示のいくつかの態様による、ワイヤレス通信デバイスの間で利用されるサブフレーム構成を動的に変更するための例示的な動作を示す図。
【図９】本開示のいくつかの態様による、ワイヤレス通信デバイスの間で利用されるサブフレーム構成の変更を検出するための例示的な動作を示す図。
【図１０】本開示のいくつかの態様による、ワイヤレス通信デバイスの間で利用されるサブフレーム構成を動的に変更するための例示的な動作を示す図。
【図１１】本開示のいくつかの態様による、ワイヤレス通信デバイスの間で利用されるサブフレーム構成の変更を検出するための例示的な動作を示す図。
【発明を実施するための形態】
【００１５】
[0026]添付の図面を参照しながら本開示の様々な態様について以下でより十分に説明する。ただし、本開示は、多くの異なる形態で実施され得るものであり、本開示全体にわたって提示する任意の特定の構造または機能に限定されるものと解釈すべきではない。むしろ、これらの態様は、本開示が周到で完全になり、本開示の範囲を当業者に十分に伝えるように提供される。本明細書の教示に基づいて、本開示の範囲は、本開示の他の態様とは無関係に実装されるにせよ、本開示の他の態様と組み合わせて実装されるにせよ、本明細書で開示する本開示のいかなる態様をもカバーするものであることを、当業者なら諒解されたい。たとえば、本明細書に記載の態様をいくつ使用しても、装置は実装され得、または方法は実施され得る。さらに、本開示の範囲は、本明細書に記載の本開示の様々な態様に加えてまたはそれらの態様以外に、他の構造、機能、または構造および機能を使用して実施されるそのような装置またはそのような方法をカバーするものとする。本明細書で開示する本開示のいずれの態様も、請求項の１つまたは複数の要素によって実施され得ることを理解されたい。
【００１６】
[0027]「例示的」という単語は、本明細書では「例、事例、または例示の働きをすること」を意味するために使用する。「例示的」として本明細書で説明するいかなる態様も、必ずしも他の態様よりも好適または有利なものと解釈すべきではない。
【００１７】
[0028]本明細書では特定の態様について説明するが、これらの態様の多くの変形および置換は本開示の範囲内に入る。好ましい態様のいくつかの利益および利点について説明するが、本開示の範囲は特定の利益、使用、または目的に限定されるものではない。むしろ、本開示の態様は、様々なワイヤレス技術、システム構成、ネットワーク、および送信プロトコルに広く適用可能であるものとし、そのうちのいくつかを例として図および好ましい態様についての以下の説明で示す。発明を実施するための形態および図面は、限定的なものではなく本開示を説明するものにすぎず、本開示の範囲は添付の特許請求の範囲およびその均等物によって規定される。
【００１８】
例示的なワイヤレス通信システム
[0029]本明細書で説明する技法は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワークなど様々なワイヤレス通信ネットワークに使用され得る。「ネットワーク」および「システム」という用語は、しばしば互換的に使用される。ＣＤＭＡネットワークは、Ｕｎｉｖｅｒｓａｌ  Ｔｅｒｒｅｓｔｒｉａｌ  Ｒａｄｉｏ  Ａｃｃｅｓｓ（ＵＴＲＡ）、ＣＤＭＡ２０００などの無線技術を実装することができる。ＵＴＲＡは、広帯域ＣＤＭＡ（Ｗ−ＣＤＭＡ（登録商標））と低チップレート（ＬＣＲ）とを含む。ＣＤＭＡ２０００は、ＩＳ−２０００、ＩＳ−９５、およびＩＳ−８５６規格をカバーする。ＴＤＭＡネットワークは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実装することができる。ＯＦＤＭＡネットワークは、Ｅｖｏｌｖｅｄ  ＵＴＲＡ（Ｅ−ＵＴＲＡ）、ＩＥＥＥ８０２．１１、ＩＥＥＥ８０２．１６、ＩＥＥＥ８０２．２０、Ｆｌａｓｈ−ＯＦＤＭ（登録商標）などの無線技術を実装することができ得る。ＵＴＲＡ、Ｅ−ＵＴＲＡ、およびＧＳＭは、ユニバーサルモバイル通信システム（ＵＭＴＳ）の一部である。Ｌｏｎｇ  Ｔｅｒｍ  Ｅｖｏｌｕｔｉｏｎ（ＬＴＥ）は、Ｅ−ＵＴＲＡを使用するＵＭＴＳの今度のリリースである。ＵＴＲＡ、Ｅ−ＵＴＲＡ、ＧＳＭ、ＵＭＴＳおよびＬＴＥは、「３ｒｄ  Ｇｅｎｅｒａｔｉｏｎ  Ｐａｒｔｎｅｒｓｈｉｐ  Ｐｒｏｊｅｃｔ」（３ＧＰＰ）という名称の組織からの文書に記載されている。ＣＤＭＡ２０００は、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）という名称の組織からの文書に記載されている。
【００１９】
[0030]シングルキャリア周波数分割多元接続（ＳＣ−ＦＤＭＡ）は、送信機側でシングルキャリア変調を利用し、受信機側で周波数領域等化を利用する１つの送信技法である。ＳＣ−ＦＤＭＡは、ＯＦＤＭＡシステムと同様の性能および本質的に同じ全体的な複雑さを有する。ただし、ＳＣ−ＦＤＭＡ信号は、その特有のシングルキャリア構造のためにより低いピーク対平均電力比（ＰＡＰＲ）を有する。ＳＣ−ＦＤＭＡは特に、より低いＰＡＰＲが送信電力効率の点でモバイル端末に大幅な利益を与えるアップリンク通信において大きい注目を引いている。それは現在、３ＧＰＰ  ＬＴＥおよびＥｖｏｌｖｅｄ  ＵＴＲＡにおけるアップリンク多元接続方式に関する実用的な前提である。
【００２０】
[0031]アクセスポイント（「ＡＰ」）は、ノードＢ、無線ネットワークコントローラ（「ＲＮＣ」）、ｅノードＢ、基地局コントローラ（「ＢＳＣ」）、トランシーバ基地局（「ＢＴＳ」）、基地局（「ＢＳ」）、トランシーバ機能（「ＴＦ」）、無線ルータ、無線トランシーバ、基本サービスセット（「ＢＳＳ」）、拡張サービスセット（「ＥＳＳ」）、無線基地局（「ＲＢＳ」）、または何らかの他の用語を備えるか、それらのいずれかとして実装されるか、あるいはそれらのいずれかとして知られていることがある。
【００２１】
[0032]アクセス端末（「ＡＴ」）は、アクセス端末、加入者局、加入者ユニット、移動局、リモート局、リモート端末、ユーザ端末、ユーザエージェント、ユーザデバイス、ユーザ機器、ユーザ局、または何らかの他の用語を備えるか、それらのいずれかとして実装されるか、あるいはそれらのいずれかとして知られていることがある。いくつかの実装形態では、アクセス端末は、セルラー電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続機能を有するハンドヘルドデバイス、局（ＳＴＡ）、またはワイヤレスモデムに接続された何らかの他の好適な処理デバイスを備え得る。したがって、本明細書で教示する１つまたは複数の態様は、電話（たとえば、セルラー電話またはスマートフォン）、コンピュータ（たとえば、ラップトップ）、ポータブル通信デバイス、ポータブルコンピューティングデバイス（たとえば、個人情報端末）、エンターテインメントデバイス（たとえば、音楽またはビデオデバイス、あるいは衛星ラジオ）、全地球測位システムデバイス、あるいはワイヤレスまたはワイヤード媒体を介して通信するように構成される他の好適なデバイスに組み込まれ得る。いくつかの態様では、ノードはワイヤレスノードである。たとえば、そのようなワイヤレスノードは、ワイヤードまたはワイヤレス通信リンクを介した、ネットワーク（たとえば、インターネットまたはセルラーネットワークのようなワイドエリアネットワーク）のための、またはネットワークへの接続性を与え得る。
【００２２】
[0033]図１を参照すると、一態様による多元接続ワイヤレス通信システムが示されている。アクセスポイント１００（ＡＰ）は複数のアンテナグループを含み得、あるアンテナグループはアンテナ１０４と１０６とを含み、別のアンテナグループはアンテナ１０８と１１０とを含み、追加のアンテナグループはアンテナ１１２と１１４とを含む。図１では、各アンテナグループに２つのアンテナのみが示されているが、各アンテナグループにより多いまたはより少ないアンテナが利用され得る。アクセス端末１１６（ＡＴ）はアンテナ１１２および１１４と通信中であり得、アンテナ１１２および１１４は、順方向リンク１２０上でアクセス端末１１６に情報を送信し、逆方向リンク１１８上でアクセス端末１１６から情報を受信する。アクセス端末１２２はアンテナ１０６および１０８と通信中であり得、アンテナ１０６および１０８は、順方向リンク１２６上でアクセス端末１２２に情報を送信し、逆方向リンク１２４上でアクセス端末１２２から情報を受信する。ＦＤＤシステムでは、通信リンク１１８、１２０、１２４および１２６は、通信のための異なる周波数を使用し得る。たとえば、順方向リンク１２０は、逆方向リンク１１８によって使用される周波数とは異なる周波数を使用し得る。
【００２３】
[0034]アンテナの各グループ、および／またはアンテナが通信するように設計されたエリアは、しばしば、アクセスポイントのセクタと呼ばれる。本開示の一態様では、各アンテナグループは、アクセスポイント１００によってカバーされるエリアのセクタ内でアクセス端末に通信するように設計され得る。
【００２４】
[0035]順方向リンク１２０および１２６上の通信では、アクセスポイント１００の送信アンテナは、異なるアクセス端末１１６および１２２に対して順方向リンクの信号対雑音比を改善するためにビームフォーミングを利用し得る。また、アクセスポイントが、ビームフォーミングを使用して、そのカバレージ中にランダムに分散されたアクセス端末に送信するほうが、アクセスポイントが単一のアンテナを介してすべてのそのアクセス端末に送信するよりも、隣接セル中のアクセス端末への干渉が小さくなる。
【００２５】
[0036]図２に、多入力多出力（ＭＩＭＯ）システム２００における送信機システム２１０（アクセスポイントとしても知られる）および受信機システム２５０（アクセス端末としても知られる）の態様のブロック図を示す。送信機システム２１０において、いくつかのデータストリームのトラフィックデータがデータソース２１２から送信（ＴＸ）データプロセッサ２１４に提供される。
【００２６】
[0037]本開示の一態様では、各データストリームは、それぞれの送信アンテナを介して送信され得る。ＴＸデータプロセッサ２１４は、各データストリームのトラフィックデータを、そのデータストリーム用に選択された特定のコーディング方式に基づいてフォーマットし、コーディングし、インターリーブして、コード化データを提供する。
【００２７】
[0038]各データストリームのコード化データは、ＯＦＤＭ技法を使用してパイロットデータと多重化され得る。パイロットデータは、一般的に、知られている方法で処理され、チャネル応答を推定するために受信機システムにおいて使用される既知のデータパターンである。各データストリームの多重化されたパイロットデータおよびコード化データは、次いで、そのデータストリーム用に選択された特定の変調方式（たとえば、ＢＰＳＫ、ＱＳＰＫ、Ｍ−ＰＳＫ、またはＭ−ＱＡＭ）に基づいて変調（すなわち、シンボルマッピング）されて、変調シンボルが提供される。各データストリームのデータレート、コーディング、および変調は、プロセッサ２３０によって実行される命令によって決定され得る。メモリ２３２は、送信機システム２１０のためのデータとソフトウェアとを記憶し得る。
【００２８】
[0039]次いで、すべてのデータストリームの変調シンボルがＴＸ  ＭＩＭＯプロセッサ２２０に提供され、ＴＸ  ＭＩＭＯプロセッサ２２０はさらに（たとえば、ＯＦＤＭの場合）その変調シンボルを処理し得る。次いで、ＴＸ  ＭＩＭＯプロセッサ２２０は、ＮT個の変調シンボルストリームをＮT個の送信機（ＴＭＴＲ）２２２ａ〜２２２ｔに提供する。本開示のいくつかの態様では、ＴＸ  ＭＩＭＯプロセッサ２２０は、データストリームのシンボルと、シンボルの送信元のアンテナとにビームフォーミング重みを適用する。
【００２９】
[0040]各送信機２２２は、それぞれのシンボルストリームを受信し、処理して、１つまたは複数のアナログ信号を提供し、さらに、それらのアナログ信号を調整（たとえば、増幅、フィルタ処理、およびアップコンバート）して、ＭＩＭＯチャネルを介して送信するのに適した変調信号を提供する。次いで、送信機２２２ａ〜２２２ｔからのＮT個の変調信号は、それぞれＮT個のアンテナ２２４ａ〜２２４ｔから送信される。
【００３０】
[0041]受信機システム２５０では、送信された変調信号はＮR個のアンテナ２５２ａ〜２５２ｒによって受信され得、各アンテナ２５２からの受信信号は、それぞれの受信機（ＲＣＶＲ）２５４ａ〜２５４ｒに提供され得る。各受信機２５４は、それぞれの受信信号を調整（たとえば、フィルタ処理、増幅、およびダウンコンバート）し、調整された信号をデジタル化して、サンプルを提供し、さらにそれらのサンプルを処理して、対応する「受信」シンボルストリームを提供し得る。
【００３１】
[0042]次いで、ＲＸデータプロセッサ２６０は、ＮR個の受信機２５４からＮR個の受信シンボルストリームを受信し、特定の受信機処理技法に基づいて処理して、ＮT個の「検出」シンボルストリームを提供する。次いで、ＲＸデータプロセッサ２６０は、各検出シンボルストリームを復調し、デインターリーブし、復号して、データストリームのトラフィックデータを復元する。ＲＸデータプロセッサ２６０による処理は、送信機システム２１０におけるＴＸ  ＭＩＭＯプロセッサ２２０およびＴＸデータプロセッサ２１４によって実行される処理と相補的なものであり得る。
【００３２】
[0043]プロセッサ２７０は、どのプリコーディング行列を使用すべきかを定期的に決定する。プロセッサ２７０は、行列インデックス部とランク値部とを備える逆方向リンクメッセージを作成する。メモリ２７２は、受信機システム２５０のためのデータとソフトウェアとを記憶し得る。逆方向リンクメッセージは、通信リンクおよび／または受信データストリームに関する様々なタイプの情報を備えることができる。次いで、逆方向リンクメッセージは、データソース２３６からいくつかのデータストリームのトラフィックデータをも受信するＴＸデータプロセッサ２３８によって処理され、変調器２８０によって変調され、送信機２５４ａ〜２５４ｒによって調整され、送信機システム２１０に戻される。
【００３３】
[0044]送信機システム２１０において、受信機システム２５０からの変調信号は、アンテナ２２４によって受信され、受信機２２２によって調整され、復調器２４０によって復調され、ＲＸデータプロセッサ２４２によって処理されて、受信機システム２５０によって送信された逆方向リンクメッセージが抽出される。次いで、プロセッサ２３０は、ビームフォーミング重みを決定するためにどのプリコーディング行列を使用すべきかを決定し、抽出されたメッセージを処理する。
【００３４】
[0045]図３に、図１に示したワイヤレス通信システム内で用いられ得るワイヤレスデバイス３０２において利用され得る様々な構成要素を示す。ワイヤレスデバイス３０２は、本明細書で説明する様々な方法を実装するように構成され得るデバイスの一例である。ワイヤレスデバイス３０２は基地局１００、またはユーザ端末１１６および１２２のいずれかであり得る。
【００３５】
[0046]ワイヤレスデバイス３０２は、ワイヤレスデバイス３０２の動作を制御するプロセッサ３０４を含み得る。プロセッサ３０４は中央処理装置（ＣＰＵ）と呼ばれることもある。読取り専用メモリ（ＲＯＭ）とランダムアクセスメモリ（ＲＡＭ）の両方を含むことができるメモリ３０６は、命令とデータとをプロセッサ３０４に提供する。メモリ３０６の一部は不揮発性ランダムアクセスメモリ（ＮＶＲＡＭ）をも含むことができる。プロセッサ３０４は一般に、メモリ３０６内に記憶されたプログラム命令に基づいて、論理および演算動作を実行する。メモリ３０６中の命令は、本明細書で説明する方法を実施するように実行可能であり得る。
【００３６】
[0047]ワイヤレスデバイス３０２は、ワイヤレスデバイス３０２と遠隔地との間のデータの送信および受信を可能にするために送信機３１０と受信機３１２とを含むことができるハウジング３０８を含むこともできる。送信機３１０と受信機３１２とを組み合わせてトランシーバ３１４を形成することができる。単一または複数の送信アンテナ３１６は、ハウジング３０８に取り付けられ、トランシーバ３１４に電気的に結合され得る。ワイヤレスデバイス３０２は、複数の送信機、複数の受信機、複数のトランシーバをも含むことができる（図示せず）。
【００３７】
[0048]ワイヤレスデバイス３０２は、トランシーバ３１４によって受信された信号のレベルを検出および定量化するために使用され得る信号検出器３１８をも含むことができる。信号検出器３１８は、総エネルギー、シンボルごとのサブキャリア当たりのエネルギー、電力スペクトル密度および他の信号などの信号を検出し得る。ワイヤレスデバイス３０２は、信号を処理する際に使用するためのデジタル信号プロセッサ（ＤＳＰ）３２０を含むこともできる。
【００３８】
[0049]ワイヤレスデバイス３０２の様々な構成要素は、データバスに加えて、電力バスと、制御信号バスと、ステータス信号バスとを含み得る、バスシステム３２２によって互いに結合され得る。
【００３９】
[0050]図４に、時分割複信ロングタームエボリューション（ＴＤＤ−ＬＴＥ）キャリアのフレーム構造４００を示す。ＴＤＤ−ＬＴＥキャリアは、図示のように、長さが１０ｍｓであるフレーム４０２を有する。フレーム４０２は２つの５ｍｓの半フレーム４０４を有し、半フレーム４０４の各々は、５つの１ｍｓのサブフレーム４０６を含む。各サブフレーム４０６は、ダウンリンクサブフレーム（Ｄ）、アップリンクサブフレーム（Ｕ）、または特別サブフレーム（Ｓ）であり得る。ダウンリンクサブフレームおよびアップリンクサブフレームは、２つの０．５ｍｓのスロット４０８に分割され得る。特別サブフレームは、ダウンリンクパイロットタイムスロット（ＤｗＰＴＳ）４１０、ガード期間（ＧＰ）４１２、およびアップリンクパイロットタイムスロット（ＵｐＰＴＳ）４１４に分割され得る。構成に応じて、ＤｗＰＴＳ、ＵｐＰＴＳおよびＧＰの持続時間は変わり得る。
【００４０】
[0051]図５に、ＬＴＥ規格によるＴＤＤ−ＬＴＥフレーム４０２中のダウンリンク／アップリンク構成の例示的なリストを示す。この表において、Ｄ、Ｕ、およびＳは、それぞれ、ダウンリンク、アップリンクおよび特別のサブフレーム４０６を示している。特別サブフレームＳは、ＤｗＰＴＳ４１０、ＧＰ４１２、およびＵｐＰＴＳ４１４のフィールドを含むことができる。図示のように、５ｍｓのスイッチポイント周期および１０ｍｓのスイッチポイント周期を有するいくつかのＤＬ／ＵＬ構成が、ＴＤＤ−ＬＴＥフレーム４０２のために選択され得る。５ｍｓのスイッチポイント周期を有する構成は、フレーム内に２つの特別サブフレームを含むことができ、一方で１０ｍｓのスイッチポイント周期を有する構成は、フレーム内に１つの特別サブフレームを含むことができる。構成０、１および２は、１０ｍｓのＴＤＤ−ＬＴＥフレーム４０２内に２つの同一の５ｍｓの半フレーム４０４を有し得る。図５には７つの構成が示されているが、より多数のもしくはより少数の構成および／または異なる構成が本方法および装置によって用いられてよい。
【００４１】
ワイヤレスネットワークのためのサブフレーム構成  
[0052]ＵＥは、図５に示すサブフレーム構成のようなサブフレーム構成に従って基地局と通信することができる。ＵＥは、基地局と通信するために利用するサブフレーム構成を示すブロードキャスト情報ブロックメッセージ（たとえば、システム情報ブロック）を受信し得る。本開示のいくつかの態様では、ＵＥと基地局との間で利用されるサブフレーム構成は、実際のトラフィック需要に基づいて動的に変更され得る。たとえば、短い持続時間中に、ダウンリンク上で大きいデータバーストが必要とされる場合、構成は、たとえば、図５に示すように構成＃１（６ＤＬ：４ＵＬ）から構成＃５（９ＤＬ：１ＵＬ）に変更され得る。いくつかの態様では、ＴＤＤ構成の適応は、６４０ｍｓよりも遅くないことが期待される。ただし、適応は１０ｍｓ（すなわち、１無線フレームの長さ）と同じくらい速くなり得る。ＵＥがサブフレーム構成の変更を適切に検出しなかった場合、ＵＥはリソースを無駄にし、基地局と通信している間に他のＵＥに干渉を引き起こすことがある。したがって、本開示のいくつかの態様は、フレーム中のＴＤＤダウンリンク／アップリンクサブフレーム構成を動的かつ確実に示すための技法を提供する。
【００４２】
[0053]図６に、本開示のいくつかの態様による、ワイヤレス通信デバイスの間で（たとえば、１つまたは複数のＵＥと基地局との間で）利用されるサブフレーム構成を動的に変更するための例示的な動作６００を示す。動作６００は、たとえば、基地局によって実行され得る。６０２において、基地局は、サブフレームのセットのうちのどのサブフレームがアップリンク送信用であるか、またはサブフレームのセットのうちのどのサブフレームがダウンリンク送信用であるかの少なくとも１つを示す第１のサブフレーム構成を含む情報ブロックメッセージをブロードキャストすることができる。そのようなブロードキャストは、時間期間に基づいて繰り返され得る。
【００４３】
[0054]６０４において、基地局は、１つまたは複数のＵＥとの通信を処理するために適切な第２のサブフレーム構成を決定することができる。たとえば、１つまたは複数のＵＥとの通信は、ＵＥに関するダウンリンクデータまたはアップリンクデータのバーストを含むことができ、第２のサブフレーム構成は、第１のサブフレーム構成よりも多くのそのような送信用のサブフレームを含むことができる。
【００４４】
[0055]６０６において、基地局は、（たとえば、サブフレーム構成を含む別の情報ブロックメッセージをブロードキャストする前に）１つまたは複数のＵＥに第２のサブフレーム構成のインジケーションをシグナリングすることができる。限られた数のＵＥがある場合（たとえば、１つまたは２つ）、専用シグナリングが選好され得る。そうでない場合、マルチキャストシグナリングまたはブロードキャストシグナリングが選好され得る。
【００４５】
[0056]いくつかの態様では、インジケーションは、第２のサブフレーム構成を示すための１つまたは複数のビットを含むことができる。たとえば、（図５に示すような）７つのＤＬ／ＵＬサブフレーム構成の場合、７つの構成のうちの１つを示すために３ビットが必要とされ得る。一方、より多くの構成がサポートされる場合、追加ビットが必要とされ得る。第１のサブフレーム構成に基づいて第２のサブフレーム構成のための可能な構成の数を制限する必要もあり得る。一例として、構成＃０（４ＤＬ：６ＵＬ）の第１のサブフレーム構成の場合、第２のサブフレーム構成のための４つの可能な構成のみ、すなわち、構成＃０、＃１、＃２、および＃５が許容され得、４つの構成のうちの１つを示すために２ビットのみが必要とされ得る。
【００４６】
[0057]いくつかの態様では、シグナリングは、所定の数、ブロードキャスト信号、および／または無線リソース制御信号に基づいて繰り返され得る。繰り返しは、同じサブフレーム（たとえば、フレームの第１のサブフレーム）内または異なるサブフレーム（たとえば、第１のサブフレームおよび第２のサブフレーム）内であり得る。同じ情報が繰り返されるが、詳細な物理レイヤ送信機構は、同じことも異なることもある。
【００４７】
[0058]いくつかの態様では、シグナリングは、第２のサブフレーム構成を利用するための持続時間、または第２のサブフレーム構成をいつ用いるかのインジケーションを提供することができる。たとえば、１個、２個、４個、８個、１６個、３２個または６４個のフレームに構成が使用されることを示すために３ビットの情報フィールドが使用されてよく、または８個、１６個または２４個のフレームの後に持続時間が開始し得ることを示すために情報フィールドが使用されてよい。
【００４８】
[0059]図７に、本開示のいくつかの態様による、ワイヤレス通信デバイスの間で（たとえば、ＵＥと基地局との間で）利用されるサブフレーム構成の変更を検出するための例示的な動作７００を示す。動作７００は、たとえば、ＵＥによって実行され得る。７０２において、ＵＥは、サブフレームのセットのうちのどのサブフレームがアップリンク送信用であるか、またはサブフレームのセットのうちのどのサブフレームがダウンリンク送信用であるかの少なくとも１つを示す第１のサブフレーム構成を含むブロードキャスト情報ブロックメッセージを受信し得る。
【００４９】
[0060]７０４において、ＵＥは、（たとえば、サブフレーム構成を含む別のブロードキャスト情報ブロックメッセージを受信する前に）基地局との通信を処理するために適切な第２のサブフレーム構成を示すシグナリングを受信し得る。
【００５０】
[0061]７０６において、ＵＥは第２のサブフレーム構成に従って基地局と通信することができる。いくつかの態様では、ＵＥは、第２のサブフレーム構成を示すシグナリングが適切に検出されなかった場合に、基地局との通信を処理するために所定のサブフレーム構成を利用することができる。たとえば、ＵＥは、第２のサブフレーム構成が巡回冗長検査（ＣＲＣ）に基づいて適切に検出されていない、または尤度比（ＬＬＲ）に基づいて確実に検出されていないと決定し得る。たとえば、ＵＥは、可能なＤＬ送信に関してサブフレームの大部分をモニタするので、最も保守的な構成であり得るＤＳＵＤＤＤＤＤＤＤ（構成＃５）を仮定することができる。別の例として、ＵＥは、構成間で共通であるＤＬサブフレームにおけるＤＬ送信に関してモニタすることができる。図５を参照すると、サブフレーム０、１および５が構成間でＤＬサブフレームとして指定されている。その上、ＵＥは、構成間で共通であるサブフレーム２におけるＵＬ送信を送信することができる。
【００５１】
[0062]上述のように、そのような情報を必要とする限られた数のＵＥがある場合、専用シグナリングが選好され得る。専用シグナリングは、物理ダウンリンク制御チャネル（ＰＤＣＣＨ）または拡張ＰＤＣＣＨ（ｅＰＤＣＣＨ）の形態であり得る。一例として、ダウンリンク制御情報（ＤＣＩ）フォーマット１Ａ（または他のＤＣＩフォーマット）が再使用されてよく、この場合、１つまたは複数のビットの情報フィールドが、ＤＬ／ＵＬサブフレーム構成を示すために使用され得る。いくつかの態様では、ビットを送信するために新しい情報フィールドが利用されてよく、または既存の情報フィールドのうちの１つが再使用されてよい（たとえば、クロスキャリア情報フィールド）。ＰＤＣＣＨまたはｅＰＤＣＣＨは、ＤＬ許可もしくはＵＬ許可に関連付けられること、またはいずれの許可にも関連付けられないことがある。ＰＤＣＣＨ（またはｅＰＤＣＣＨ）は、セル無線ネットワーク一時識別子（Ｃ−ＲＮＴＩ）または（たとえば、半永続性スケジューリング（ＳＰＳ）Ｃ−ＲＮＴＩと同様の）新しいＣ−ＲＮＴＩによってスクランブルされ得る。いくつかの態様では、新しいＤＬ／ＵＬサブフレーム構成を示す新しいＰＤＣＣＨ（またはｅＰＤＣＣＨ）が、前に送られた既存のＤＬ／ＵＬサブフレーム構成インジケーションを取り消すことができる。
【００５２】
[0063]いくつかの態様では、上述のように、サブフレーム構成の変更をシグナリングするために、基地局によってマルチキャストシグナリングまたはブロードキャストシグナリングが利用され得る。このタイプのシグナリングは、既存の制御チャネルまたは新しい制御チャネルを利用することができる。一例として、既存のＰＤＣＣＨまたはｅＰＤＣＣＨが（たとえば、共通探索空間を通じて）使用され得る。現在ではアグリゲーションレベル４および８のみがサポートされているので、より効率的な送信のためにアグリゲーションレベル１および／または２が導入され得る。シグナリングのためのＣＲＣ保護（たとえば、１６ビット）があり得る。
【００５３】
[0064]いくつかの態様では、そのようなシグナリングを伝達するために（たとえば、物理制御フォーマットインジケータチャネル（ＰＣＦＩＣＨ）と同様の）新しいチャネルが導入され得る。たとえば、３ビットの情報が、たとえば１６個のリソース要素（ＲＥ）で伝達され得る。新しいチャネルは、（たとえば、制御チャネル要素（ＣＣＥ）のごく一部を利用する）レガシー制御領域または（たとえば、ｅＰＤＣＣＨと同様の）データ領域を使用することができる。新しいチャネルによって利用されるリソースは、レガシーＵＥのための他のチャネルのリソース要素（ＲＥ）をパンクチャすることができ、非レガシーＵＥは、新しいチャネルのＲＥ付近でレートマッチングする（rate-match）ことができる。ただし、ＣＲＣは利用可能であることも利用可能ではないこともある（たとえば、ＰＣＦＩＣＨのようなものである場合にＣＲＣはない）。
【００５４】
[0065]サブフレーム構成の変更を検出するＵＥの信頼性を改善するために、構成を示すための制御チャネル送信、構成の持続時間（たとえば、１サブフレーム）中の制御チャネル送信、および／または構成の持続時間中のデータチャネル送信の少なくとも１つの物理レイヤ特性を変更または構築するためのインプットとして、ＤＬ／ＵＬサブフレーム構成が使用され得る。たとえば、新しいチャネルが設計され、ＰＣＦＩＣＨのようなものである場合、スクランブルシーケンスの初期化は、ＤＬ／ＵＬサブフレーム構成にさらに依存し得る。追加として、または別個に、新しいチャネルのためのＲＥのロケーションは、ＤＬ／ＵＬサブフレーム構成にさらに依存し得る。したがって、誤ったＴＤＤ  ＤＬ／ＵＬ構成を仮定するＵＥが、新しいチャネルを復号しないことがある。
【００５５】
[0066]別の例として、構成（たとえば、サブフレーム構成＃５）の持続時間中、ｅＰＤＣＣＨの復調基準信号（ＤＭ−ＲＳ）のためのスクランブルシーケンスは、ＴＤＤ  ＤＬ／ＵＬサブフレーム構成に関係し得る。したがって、使用中の構成の検出に成功したＵＥのみが、制御チャネル送信を復号することができる。いくつかの態様では、制御チャネル（たとえば、ＰＤＣＣＨまたはｅＰＤＣＣＨ）の変更がサブセットにのみ適用され得る。たとえば、変更は、ＵＥ固有探索空間にのみ（共通探索空間にではなく）、いくつかのサブフレームにのみ（いくつかの他のサブフレームにではなく）、ｅＰＤＣＣＨにのみ（ＵＥがＰＤＣＣＨとｅＰＤＣＣＨの両方をモニタするように構成されている場合に、ＰＤＣＣＨにではなく）、または低アグリゲーションレベルにのみ（より高いアグリゲーションレベルにではなく）適用され得る。したがって、サブフレーム構成に基づいて変更されていない少なくとも１つの復号候補があり得る。そのような変更は、ＵＥにとって何らかの明示的なシグナリング（たとえば、ＲＲＣ）、暗示的なシグナリングによって可能になること、および／またはあらかじめ決定されることがある。
【００５６】
[0067]いくつかの態様では、制御チャネル（たとえば、ＰＤＣＣＨまたはｅＰＤＣＣＨ）がＰＤＳＣＨをスケジュールする場合、制御チャネルにおける情報フィールドは、どのＵＬサブフレームが対応するＡＣＫ／ＮＡＫを搬送するかを示すことができる。たとえば、ＴＤＤ  ＤＬ／ＵＬサブフレーム構成が（たとえば、他のシグナリングを介して）ＵＥに知られている場合、ＵＥがＡＣＫ／ＮＡＫを第１のＵＬサブフレームにおいて（たとえば、４ｍｓで、または４ｍｓの後）または第２のＵＬサブフレームにおいて（たとえば、４ｍｓで、または４ｍｓの後）送信すべきことを示す１ビットのインジケーションが提供され得る。ＵＬ  ＡＣＫ／ＮＡＫ負荷はこのようにバランスがとられ得る。一方、ＴＤＤ  ＤＬ／ＵＬサブフレーム構成が知られていない場合、どのサブフレームが対応するＡＣＫ／ＮＡＫをＰＤＳＣＨサブフレーム（サブフレームｎ）の後、たとえば３ビットのインジケーションによって与えられるｎ＋ｋ＋４（ｋ＝０，．．．，７）で搬送するかを示す３ビットのインジケーションが提供され得る。したがって、ＵＥは、ＴＤＤ  ＤＬ／ＵＬサブフレーム構成を知っている必要はないが、それでも少なくともサブフレームにおいてスケジュールされ得る。
【００５７】
[0068]同様に、制御チャネルが物理アップリンク共有チャネル（ＰＵＳＣＨ）をスケジュールする場合、制御チャネルにおける情報フィールドは、どのＵＬサブフレームがＰＵＳＣＨ送信用であるか、またはどのサブフレームが同じハイブリッド自動再送要求（ＨＡＲＱ）プロセスの次の物理ハイブリッドＡＲＱインジケータチャネル（ＰＨＩＣＨ）／ＰＤＣＣＨ送信用であるか、またはそれらの組合せを示すことができる。このようにして、シグナリングは、ダウンリンクデータ送信に応答したＨＡＲＱ応答のためのアップリンクサブフレームのインジケーション、アップリンクデータ送信のためのアップリンクサブフレームのインジケーション、および／またはアップリンクデータ送信に応答したＨＡＲＱ応答もしくは制御チャネルのためのダウンリンクサブフレームのインジケーションを提供することができる。同様の方式が非周期的ＣＱＩトリガリングに適用され得る。
【００５８】
[0069]代替として、制御チャネルにおける１つまたは複数のビットの情報フィールドが、ダウンリンクＨＡＲＱおよび／またはＵＬ  ＨＡＲＱ演算のために、どのＴＤＤダウンリンク／アップリンクサブフレーム構成が対応するＨＡＲＱタイミングを決定するために使用されるかを示すことができる。一例として、制御フィールドは、ダウンリンクＨＡＲＱタイミングが、先行するサブフレーム構成に基づくＨＡＲＱタイミングに従い続けるか、または新しいサブフレーム構成に基づくＨＡＲＱタイミングに従うかのいずれかであることを示す１ビットの情報フィールドを含むことができる。
【００５９】
[0070]図８に、本開示のいくつかの態様による、ワイヤレス通信デバイスの間で（たとえば、１つまたは複数のＵＥと基地局との間で）利用されるサブフレーム構成を動的に変更するための例示的な動作８００を示す。動作８００は、たとえば、基地局によって実行され得る。８０２において、基地局は、サブフレームのセットのうちのどのサブフレームがアップリンク送信用であるか、またはサブフレームのセットのうちのどのサブフレームがダウンリンク送信用であるかの少なくとも１つを示すサブフレーム構成を含む情報ブロックメッセージをブロードキャストすることができる。８０４において、基地局は、物理ダウンリンク制御チャネル（ＰＤＣＣＨ）または拡張物理ダウンリンク制御チャネル（ｅＰＤＣＣＨ）の少なくとも１つにおける情報フィールドを介して、ハイブリッド自動再送要求（ＨＡＲＱ）プロセスの少なくとも１つに、またはアップリンクデータ送信に使用されるサブフレームの少なくとも１つのインジケーションをシグナリングすることができる。
【００６０】
[0071]図９に、本開示のいくつかの態様による、ワイヤレス通信デバイスの間で（たとえば、ＵＥと基地局との間で）利用されるサブフレーム構成の変更を検出するための例示的な動作９００を示す。動作９００は、たとえば、ＵＥによって実行され得る。９０２において、ＵＥは、サブフレームのセットのうちのどのサブフレームがアップリンク送信用であるか、またはサブフレームのセットのうちのどのサブフレームがダウンリンク送信用であるかの少なくとも１つを示すサブフレーム構成を含む情報ブロックメッセージを受信し得る。９０４において、ＵＥは、物理ダウンリンク制御チャネル（ＰＤＣＣＨ）または拡張物理ダウンリンク制御チャネル（ｅＰＤＣＣＨ）の少なくとも１つにおける情報フィールドを介して、ハイブリッド自動再送要求（ＨＡＲＱ）プロセスの少なくとも１つに、またはアップリンクデータ送信に使用されるサブフレームの少なくとも１つのインジケーションを受信し得る。９０６において、ＵＥは、インジケーションに従ってサブフレームの少なくとも１つを処理することができる。
【００６１】
[0072]図１０に、本開示のいくつかの態様による、ワイヤレス通信デバイスの間で（たとえば、１つまたは複数のＵＥと基地局との間で）利用されるサブフレーム構成を動的に変更するための例示的な動作１０００を示す。動作１０００は、たとえば、基地局によって実行され得る。１００２において、基地局は、物理ダウンリンク制御チャネル（ＰＤＣＣＨ）または拡張物理ダウンリンク制御チャネル（ｅＰＤＣＣＨ）の少なくとも１つにおける情報フィールドを介して、アップリンクデータ送信に使用される少なくとも１つのサブフレームのインジケーションをシグナリングすることができる。１００４において、基地局は、インジケーションに従ったサブフレームの少なくとも１つを、サブフレームのセットのうちのどのサブフレームがアップリンク送信用であるか、またはサブフレームのセットのうちのどのサブフレームがダウンリンク送信用であるかの少なくとも１つを示すサブフレーム構成に気づいていないユーザ機器（ＵＥ）から受信し得る。
【００６２】
[0073]図１１に、本開示のいくつかの態様による、ワイヤレス通信デバイスの間で（たとえば、ＵＥと基地局との間で）利用されるサブフレーム構成の変更を検出するための例示的な動作１１００を示す。動作１１００は、たとえば、ＵＥによって実行され得る。１１０２において、ＵＥは、物理ダウンリンク制御チャネル（ＰＤＣＣＨ）または拡張物理ダウンリンク制御チャネル（ｅＰＤＣＣＨ）の少なくとも１つにおける情報フィールドを介して、サブフレームのセットのうちのどのサブフレームがアップリンク送信用であるか、またはサブフレームのセットのうちのどのサブフレームがダウンリンク送信用であるかの少なくとも１つを示すサブフレーム構成に気づくことなく、アップリンクデータ送信に使用される少なくとも１つのサブフレームのインジケーションを受信し得る。１１０４において、ＵＥは、インジケーションに従ってサブフレームの少なくとも１つを送ることができる。
【００６３】
[0074]上記で説明した方法の様々な動作は、対応する機能を実行することが可能な任意の好適な手段によって実行され得る。それらの手段は、限定はしないが、回路、特定用途向け集積回路（ＡＳＩＣ）、またはプロセッサを含む、様々なハードウェアおよび／またはソフトウェア構成要素および／またはモジュールを含み得る。一般に、図に示す動作がある場合、それらの動作は、同様の番号をもつ対応するカウンターパートのミーンズプラスファンクション構成要素を有し得る。
【００６４】
[0075]本明細書で使用する「決定」という用語は、多種多様なアクションを包含する。たとえば、「決定」は、計算、算出、処理、導出、調査、探索（たとえば、テーブル、データベースまたは別のデータ構造での探索）、確認などを含み得る。また、「決定」は、受信（たとえば、情報を受信すること）、アクセス（たとえば、メモリ中のデータにアクセスすること）などを含み得る。また、「決定」は、解決、選択、選出、確立などを含むことができる。
【００６５】
[0076]本明細書で使用する、項目のリスト「の少なくとも１つ」を指す句は、単一のメンバーを含む、それらの項目の任意の組合せを指す。一例として、「ａ、ｂまたはｃの少なくとも１つ」は、ａ、ｂ、ｃと、ａ−ｂと、ａ−ｃと、ｂ−ｃと、ａ−ｂ−ｃとをカバーするものである。
【００６６】
[0077]上記で説明した方法の様々な動作は、様々なハードウェアおよび／またはソフトウェア構成要素、回路、および／またはモジュールなど、それらの動作を実行することが可能な任意の好適な手段によって実行され得る。一般に、図に示すどの動作も、その動作を実行することが可能な対応する機能的手段によって実行され得る。
【００６７】
[0078]本開示に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）または他のプログラマブル論理デバイス（ＰＬＤ）、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の市販のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装することもできる。
【００６８】
[0079]本開示に関連して説明した方法またはアルゴリズムのステップは、直接ハードウェアか、プロセッサによって実行されるソフトウェアモジュールか、またはその２つの組合せで実施され得る。ソフトウェアモジュールは、当技術分野で知られている任意の形式の記憶媒体中に常駐することができる。使用され得る記憶媒体のいくつかの例には、ランダムアクセスメモリ（ＲＡＭ）、読取り専用メモリ（ＲＯＭ）、フラッシュメモリ、ＥＰＲＯＭメモリ、ＥＥＰＲＯＭ（登録商標）メモリ、レジスタ、ハードディスク、リムーバブルディスク、ＣＤ−ＲＯＭなどがある。ソフトウェアモジュールは、単一の命令、または多数の命令を備えることができ、いくつかの異なるコードセグメント上で、異なるプログラム間で、かつ複数の記憶媒体にわたって分散され得る。記憶媒体は、プロセッサがその記憶媒体から情報を読み取ることができ、その記憶媒体に情報を書き込むことができるように、プロセッサに結合され得る。代替として、記憶媒体はプロセッサに一体化することができる。
【００６９】
[0080]本明細書で開示する方法は、説明した方法を達成するための１つまたは複数のステップまたはアクションを備える。本方法のステップおよび／またはアクションは、特許請求の範囲から逸脱することなく互いに交換され得る。言い換えれば、ステップまたはアクションの特定の順序が指定されない限り、特定のステップおよび／またはアクションの順序および／または使用は特許請求の範囲から逸脱することなく変更され得る。
【００７０】
[0081]説明した機能は、ハードウェア、ソフトウェア、ファームウェア、またはそれらの組合せで実装され得る。ソフトウェアで実装される場合、機能は１つまたは複数の命令としてコンピュータ可読媒体上に記憶され得る。記憶媒体は、コンピュータによってアクセスされ得る任意の利用可能な媒体でよい。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気記憶デバイス、あるいは命令またはデータ構造の形態の所望のプログラムコードを搬送または記憶するために使用でき、コンピュータによってアクセスできる任意の他の媒体を備えることができる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびＢｌｕ−ｒａｙ（登録商標）ディスク（disc）を含み、ディスク（disk）は通常、データを磁気的に再生し、ディスク（disc）は、データをレーザで光学的に再生する。
【００７１】
[0082]したがって、いくつかの態様は、本明細書で提示する動作を実行するためのコンピュータプログラム製品を備え得る。たとえば、そのようなコンピュータプログラム製品は、本明細書で説明する動作を実行するために１つまたは複数のプロセッサによって実行可能である命令をその上に記憶した（および／または符号化した）コンピュータ可読媒体を備え得る。いくつかの態様では、コンピュータプログラム製品はパッケージング材料を含み得る。
【００７２】
[0083]ソフトウェアまたは命令はまた、伝送媒体を介して送信され得る。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、伝送媒体の定義に含まれる。
【００７３】
[0084]さらに、本明細書で説明する方法および技法を実行するためのモジュールおよび／または他の適切な手段は、適用可能な場合にユーザ端末および／または基地局によってダウンロードされ、かつ／または他の方法で取得され得ることを諒解されたい。たとえば、本明細書で説明する方法を実行するための手段の転送を可能にするために、そのようなデバイスがサーバに結合され得る。代替的に、本明細書で説明する様々な方法は、ユーザ端末および／または基地局がストレージ手段をデバイスに結合または提供すると様々な方法を得ることができるように、ストレージ手段（たとえば、ＲＡＭ、ＲＯＭ、コンパクトディスク（ＣＤ）またはフロッピーディスクなど物理記憶媒体など）によって提供され得る。さらに、本明細書で説明する方法および技法をデバイスに提供するための任意の他の適切な技法を利用し得る。
【００７４】
[0085]特許請求の範囲は、上記に示した正確な構成および構成要素に限定されないことを理解されたい。上記の方法および装置の構成、動作および詳細において、特許請求の範囲から逸脱することなく、様々な改変、変更および変形が行われ得る。
【００７５】
[0086]上記は本開示の態様を対象とするが、本開示の他の態様およびさらなる態様は、それの基本的範囲から逸脱することなく考案され得、それの範囲は以下の特許請求の範囲によって決定される。
【図１】
2020092441.tif 000003
【図２】
2020092441.tif 000004
【図３】
2020092441.tif 000005
【図４】
2020092441.tif 000006
【図５】
2020092441.tif 000007
【図６】
2020092441.tif 000008
【図７】
2020092441.tif 000009
【図８】
2020092441.tif 000010
【図９】
2020092441.tif 000011
【図１０】
2020092441.tif 000012
【図１１】
2020092441.tif 000013
【手続補正書】
【提出日】令和2年3月6日(2020.3.6)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
サブフレームのセットのうちのどのサブフレームがアップリンク送信用であるか、またはサブフレームの前記セットのうちのどのサブフレームがダウンリンク送信用であるかの少なくとも１つを示すサブフレーム構成を含む情報ブロックメッセージをブロードキャストすること、ここにおいて、前記サブフレーム構成は、フレーム中のすべてのサブフレームについての構成情報を備える、と、
物理ダウンリンク制御チャネル（ＰＤＣＣＨ）または拡張物理ダウンリンク制御チャネル（ｅＰＤＣＣＨ）の少なくとも１つにおける、一時識別子によってスクランブルされた情報フィールドを介して、ハイブリッド自動再送要求（ＨＡＲＱ）プロセスの少なくとも１つに、またはアップリンクデータ送信に使用される前記サブフレームのセットのうちの前記サブフレームの少なくとも１つのインジケーションをシグナリングすること、ここにおいて、前記一時識別子によってスクランブルされた前記情報フィールドは、前記サブフレーム構成に基づく、と
を備える方法。
【請求項２】
前記インジケーションをシグナリングすることは、ダウンリンクデータ送信に応答したハイブリッド自動再送要求（ＨＡＲＱ）応答のためのアップリンクサブフレームのインジケーションをシグナリングすることを含む、
請求項１に記載の方法。
【請求項３】
前記インジケーションをシグナリングすることは、アップリンクデータ送信のためのアップリンクサブフレームのインジケーションをシグナリングすることを含む、
請求項１に記載の方法。
【請求項４】
前記インジケーションをシグナリングすることは、アップリンクデータ送信に応答したハイブリッド自動再送要求（ＨＡＲＱ）応答または制御チャネルのためのダウンリンクサブフレームのインジケーションをシグナリングすることを含む、
請求項１に記載の方法。
【請求項５】
ワイヤレス通信のための方法であって、
サブフレームのセットのうちのどのサブフレームがアップリンク送信用であるか、またはサブフレームの前記セットのうちのどのサブフレームがダウンリンク送信用であるかの少なくとも１つを示すサブフレーム構成を含む情報ブロックメッセージを受信すること、ここにおいて、前記サブフレーム構成は、フレーム中のすべてのサブフレームについての構成情報を備える、と、
物理ダウンリンク制御チャネル（ＰＤＣＣＨ）または拡張物理ダウンリンク制御チャネル（ｅＰＤＣＣＨ）の少なくとも１つにおける、一時識別子によってスクランブルされた情報フィールドを介して、ハイブリッド自動再送要求（ＨＡＲＱ）プロセスの少なくとも１つに、またはアップリンクデータ送信に使用される前記サブフレームのセットのうちの前記サブフレームの少なくとも１つのインジケーションを受信すること、ここにおいて、前記一時識別子によってスクランブルされた前記情報フィールドは、前記サブフレーム構成に基づく、と、
前記インジケーションに従って前記サブフレームのセットのうちの前記サブフレームの前記少なくとも１つを処理することと
を備える方法。
【請求項６】
前記インジケーションを受信することは、ダウンリンクデータ送信に応答したハイブリッド自動再送要求（ＨＡＲＱ）応答のためのアップリンクサブフレームのインジケーションを受信することを含む、
請求項５に記載の方法。
【請求項７】
前記インジケーションを受信することは、アップリンクデータ送信のためのアップリンクサブフレームのインジケーションを受信することを含む、
請求項６に記載の方法。
【請求項８】
前記インジケーションを受信することは、アップリンクデータ送信に応答したハイブリッド自動再送要求（ＨＡＲＱ）応答または制御チャネルのためのダウンリンクサブフレームのインジケーションを受信することを含む、
請求項５に記載の方法。
【請求項９】
ワイヤレス通信のための方法であって、
物理ダウンリンク制御チャネル（ＰＤＣＣＨ）または拡張物理ダウンリンク制御チャネル（ｅＰＤＣＣＨ）の少なくとも１つにおける、一時識別子によってスクランブルされた情報フィールドを介して、アップリンクデータ送信に使用される少なくとも１つのサブフレームのインジケーションをシグナリングすること、ここにおいて、前記一時識別子によってスクランブルされた前記情報フィールドは、サブフレーム構成に基づく、と、
前記インジケーションに従った前記少なくとも１つのサブフレームを、サブフレームのセットのうちのどのサブフレームがアップリンク送信用であるか、またはサブフレームの前記セットのうちのどのサブフレームがダウンリンク送信用であるかの少なくとも１つを示す前記サブフレーム構成に気づいていないユーザ機器（ＵＥ）から受信すること、ここにおいて、前記サブフレーム構成は、フレーム中のすべてのサブフレームについての構成情報を備える、と
を備える方法。
【請求項１０】
前記インジケーションをシグナリングすることは、ダウンリンク送信のためのサブフレームに対して、アップリンクＡＣＫ／ＮＡＣＫ送信のためのアップリンクサブフレームのインジケーションをシグナリングすることを含む、
請求項９に記載の方法。
【請求項１１】
ワイヤレス通信のための方法であって、
物理ダウンリンク制御チャネル（ＰＤＣＣＨ）または拡張物理ダウンリンク制御チャネル（ｅＰＤＣＣＨ）の少なくとも１つにおける、一時識別子によってスクランブルされた情報フィールドを介して、サブフレームのセットのうちのどのサブフレームがアップリンク送信用であるか、またはサブフレームの前記セットのうちのどのサブフレームがダウンリンク送信用であるかの少なくとも１つを示すサブフレーム構成に気づくことなく、アップリンクデータ送信に使用される少なくとも１つのサブフレームのインジケーションを受信することと、前記インジケーションに従って前記サブフレームの前記少なくとも１つを送ること、ここにおいて、前記サブフレーム構成は、フレーム中のすべてのサブフレームについての構成情報を備え、前記一時識別子によってスクランブルされた前記情報フィールドは、前記サブフレーム構成に基づく、と
を備える方法。
【請求項１２】
前記インジケーションを受信することは、ダウンリンク送信のためのサブフレームに対して、アップリンクＡＣＫ／ＮＡＣＫ送信のためのアップリンクサブフレームのインジケーションを受信することを含む、
請求項１１に記載の方法。
【請求項１３】
ワイヤレス通信のための装置であって、
サブフレームのセットのうちのどのサブフレームがアップリンク送信用であるか、またはサブフレームの前記セットのうちのどのサブフレームがダウンリンク送信用であるかの少なくとも１つを示すサブフレーム構成を含む情報ブロックメッセージをブロードキャストするための手段、ここにおいて、前記サブフレーム構成は、フレーム中のすべてのサブフレームについての構成情報を備える、と、
物理ダウンリンク制御チャネル（ＰＤＣＣＨ）または拡張物理ダウンリンク制御チャネル（ｅＰＤＣＣＨ）の少なくとも１つにおける、一時識別子によってスクランブルされた情報フィールドを介して、ハイブリッド自動再送要求（ＨＡＲＱ）プロセスの少なくとも１つに、またはアップリンクデータ送信に使用される前記サブフレームのセットのうちの前記サブフレームの少なくとも１つのインジケーションをシグナリングするための手段、ここにおいて、前記一時識別子によってスクランブルされた前記情報フィールドは、前記サブフレーム構成に基づく、と
を備える装置。
【請求項１４】
前記インジケーションをシグナリングするための前記手段は、ダウンリンクデータ送信に応答したハイブリッド自動再送要求（ＨＡＲＱ）応答のためのアップリンクサブフレームのインジケーションをシグナリングするための手段を含む、
請求項１３に記載の装置。
【請求項１５】
前記インジケーションをシグナリングするための前記手段は、アップリンクデータ送信のためのアップリンクサブフレームのインジケーションをシグナリングするための手段を含む、
請求項１３に記載の装置。
【請求項１６】
ワイヤレス通信のための装置であって、
サブフレームのセットのうちのどのサブフレームがアップリンク送信用であるか、またはサブフレームの前記セットのうちのどのサブフレームがダウンリンク送信用であるかの少なくとも１つを示すサブフレーム構成を含む情報ブロックメッセージを受信するための手段、ここにおいて、前記サブフレーム構成は、フレーム中のすべてのサブフレームについての構成情報を備える、と、
物理ダウンリンク制御チャネル（ＰＤＣＣＨ）または拡張物理ダウンリンク制御チャネル（ｅＰＤＣＣＨ）の少なくとも１つにおける、一時識別子によってスクランブルされた情報フィールドを介して、ハイブリッド自動再送要求（ＨＡＲＱ）プロセスの少なくとも１つに、またはアップリンクデータ送信に使用される前記サブフレームのセットのうちの前記サブフレームの少なくとも１つのインジケーションを受信するための手段、ここにおいて、前記一時識別子によってスクランブルされた前記情報フィールドは、前記サブフレーム構成に基づく、と、
前記インジケーションに従って前記サブフレームのセットのうちの前記サブフレームの前記少なくとも１つを処理するための手段と
を備える装置。
【請求項１７】
前記インジケーションを受信するための前記手段は、ダウンリンクデータ送信に応答したハイブリッド自動再送要求（ＨＡＲＱ）応答のためのアップリンクサブフレームのインジケーションを受信するための手段を含む、
請求項１６に記載の装置。
【請求項１８】
前記インジケーションを受信するための前記手段は、アップリンクデータ送信のためのアップリンクサブフレームのインジケーションを受信するための手段を含む、
請求項１７に記載の装置。
【請求項１９】
ワイヤレス通信のための装置であって、
物理ダウンリンク制御チャネル（ＰＤＣＣＨ）または拡張物理ダウンリンク制御チャネル（ｅＰＤＣＣＨ）の少なくとも１つにおける、一時識別子によってスクランブルされた情報フィールドを介して、アップリンクデータ送信に使用される少なくとも１つのサブフレームのインジケーションをシグナリングするための手段、ここにおいて、前記一時識別子によってスクランブルされた前記情報フィールドは、サブフレーム構成に基づく、と、
前記インジケーションに従った前記少なくとも１つのサブフレームを、サブフレームのセットのうちのどのサブフレームがアップリンク送信用であるか、またはサブフレームの前記セットのうちのどのサブフレームがダウンリンク送信用であるかの少なくとも１つを示す前記サブフレーム構成に気づいていないユーザ機器（ＵＥ）から受信するための手段、ここにおいて、前記サブフレーム構成は、フレーム中のすべてのサブフレームについての構成情報を備える、と
を備える装置。
【請求項２０】
前記インジケーションをシグナリングするための前記手段は、ダウンリンク送信のためのサブフレームに対して、アップリンクＡＣＫ／ＮＡＣＫ送信のためのアップリンクサブフレームのインジケーションをシグナリングするための手段を含む、
請求項１９に記載の装置。
【請求項２１】
ワイヤレス通信のための装置であって、
物理ダウンリンク制御チャネル（ＰＤＣＣＨ）または拡張物理ダウンリンク制御チャネル（ｅＰＤＣＣＨ）の少なくとも１つにおける、一時識別子によってスクランブルされた情報フィールドを介して、サブフレームのセットのうちのどのサブフレームがアップリンク送信用であるか、またはサブフレームの前記セットのうちのどのサブフレームがダウンリンク送信用であるかの少なくとも１つを示すサブフレーム構成に気づくことなく、アップリンクデータ送信に使用される少なくとも１つのサブフレームのインジケーションを受信するための手段、ここにおいて、前記サブフレーム構成は、フレーム中のすべてのサブフレームについての構成情報を備え、前記一時識別子によってスクランブルされた前記情報フィールドは、前記サブフレーム構成に基づく、と、
前記インジケーションに従って前記少なくとも１つのサブフレームを送るための手段と
を備える装置。
【請求項２２】
前記インジケーションを受信するための前記手段は、ダウンリンク送信のためのサブフレームに対して、アップリンクＡＣＫ／ＮＡＣＫ送信のためのアップリンクサブフレームのインジケーションを受信するための手段を含む、
請求項２１に記載の装置。
【請求項２３】
ワイヤレス通信のための装置であって、
サブフレームのセットのうちのどのサブフレームがアップリンク送信用であるか、またはサブフレームの前記セットのうちのどのサブフレームがダウンリンク送信用であるかの少なくとも１つを示すサブフレーム構成を含む情報ブロックメッセージをブロードキャストすることと、物理ダウンリンク制御チャネル（ＰＤＣＣＨ）または拡張物理ダウンリンク制御チャネル（ｅＰＤＣＣＨ）の少なくとも１つにおける、一時識別子によってスクランブルされた情報フィールドを介して、ハイブリッド自動再送要求（ＨＡＲＱ）プロセスの少なくとも１つに、またはアップリンクデータ送信に使用される前記サブフレームのセットのうちの前記サブフレームの少なくとも１つのインジケーションをシグナリングすることとを行うように構成される少なくとも１つのプロセッサ、ここにおいて、前記サブフレーム構成は、フレーム中のすべてのサブフレームについての構成情報を備え、前記一時識別子によってスクランブルされた前記情報フィールドは、前記サブフレーム構成に基づく、と、
前記少なくとも１つのプロセッサに結合されたメモリと
を備える装置。
【請求項２４】
前記少なくとも１つのプロセッサは、前記インジケーションを、ダウンリンクデータ送信に応答したハイブリッド自動再送要求（ＨＡＲＱ）応答のためのアップリンクサブフレームのインジケーションを介してシグナリングするように構成される、
請求項２３に記載の装置。
【請求項２５】
前記少なくとも１つのプロセッサは、前記インジケーションを、アップリンクデータ送信のためのアップリンクサブフレームのインジケーションを介してシグナリングするように構成される、
請求項２３に記載の装置。
【請求項２６】
ワイヤレス通信のための装置であって、
サブフレームのセットのうちのどのサブフレームがアップリンク送信用であるか、またはサブフレームの前記セットのうちのどのサブフレームがダウンリンク送信用であるかの少なくとも１つを示すサブフレーム構成を含む情報ブロックメッセージを受信することと、物理ダウンリンク制御チャネル（ＰＤＣＣＨ）または拡張物理ダウンリンク制御チャネル（ｅＰＤＣＣＨ）の少なくとも１つにおける、一時識別子によってスクランブルされた情報フィールドを介して、ハイブリッド自動再送要求（ＨＡＲＱ）プロセスの少なくとも１つに、またはアップリンクデータ送信に使用される前記サブフレームのセットのうちの前記サブフレームの少なくとも１つのインジケーションを受信することと、前記インジケーションに従った前記サブフレームの前記少なくとも１つを処理するすることとを行うように構成される少なくとも１つのプロセッサ、ここにおいて、前記サブフレーム構成は、フレーム中のすべてのサブフレームについての構成情報を備え、前記一時識別子によってスクランブルされた前記情報フィールドは、前記サブフレーム構成に基づく、と、
前記少なくとも１つのプロセッサに結合されたメモリと
を備える装置。
【請求項２７】
前記少なくとも１つのプロセッサは、前記インジケーションを、ダウンリンクデータ送信に応答したハイブリッド自動再送要求（ＨＡＲＱ）応答のためのアップリンクサブフレームのインジケーションを介して受信するように構成される、
請求項２６に記載の装置。
【請求項２８】
前記少なくとも１つのプロセッサは、前記インジケーションを、アップリンクデータ送信のためのアップリンクサブフレームのインジケーションを介して受信するように構成される、
請求項２７に記載の装置。
【請求項２９】
ワイヤレス通信のための装置であって、
物理ダウンリンク制御チャネル（ＰＤＣＣＨ）または拡張物理ダウンリンク制御チャネル（ｅＰＤＣＣＨ）の少なくとも１つにおける、一時識別子によってスクランブルされた情報フィールドを介して、アップリンクデータ送信に使用される少なくとも１つのサブフレームのインジケーションをシグナリングすることと、前記インジケーションに従った前記少なくとも１つのサブフレームを、サブフレームのセットのうちのどのサブフレームがアップリンク送信用であるか、またはサブフレームの前記セットのうちのどのサブフレームがダウンリンク送信用であるかの少なくとも１つを示すサブフレーム構成に気づいていないユーザ機器（ＵＥ）から受信することとを行うように構成される少なくとも１つのプロセッサ、ここにおいて、前記サブフレーム構成は、フレーム中のすべてのサブフレームについての構成情報を備え、前記一時識別子によってスクランブルされた前記情報フィールドは、前記サブフレーム構成に基づく、と、
前記少なくとも１つのプロセッサに結合されたメモリと
を備える装置。
【請求項３０】
前記少なくとも１つのプロセッサは、前記インジケーションを、ダウンリンク送信のためのサブフレームに対して、アップリンクＡＣＫ／ＮＡＣＫ送信のためのアップリンクサブフレームのインジケーションを介してシグナリングするように構成される、
請求項２９に記載の装置。
【請求項３１】
ワイヤレス通信のための装置であって、
物理ダウンリンク制御チャネル（ＰＤＣＣＨ）または拡張物理ダウンリンク制御チャネル（ｅＰＤＣＣＨ）の少なくとも１つにおける、一時識別子によってスクランブルされた情報フィールドを介して、サブフレームのセットのうちのどのサブフレームがアップリンク送信用であるか、またはサブフレームの前記セットのうちのどのサブフレームがダウンリンク送信用であるかの少なくとも１つを示すサブフレーム構成に気づくことなく、アップリンクデータ送信に使用される少なくとも１つのサブフレームのインジケーションを受信することと、前記インジケーションに従って前記少なくとも１つのサブフレームを送ることとを行うように構成される少なくとも１つのプロセッサ、ここにおいて、前記サブフレーム構成は、フレーム中のすべてのサブフレームについての構成情報を備え、前記一時識別子によってスクランブルされた前記情報フィールドは、前記サブフレーム構成に基づく、と、
前記少なくとも１つのプロセッサに結合されたメモリと
を備える装置。
【請求項３２】
前記少なくとも１つのプロセッサは、前記インジケーションを、ダウンリンク送信のためのサブフレームに対して、アップリンクＡＣＫ／ＮＡＣＫ送信のためのアップリンクサブフレームのインジケーションを介して受信するように構成される、
請求項３１に記載の装置。
【請求項３３】
サブフレームのセットのうちのどのサブフレームがアップリンク送信用であるか、またはサブフレームの前記セットのうちのどのサブフレームがダウンリンク送信用であるかの少なくとも１つを示すサブフレーム構成を含む情報ブロックメッセージをブロードキャストすること、ここにおいて、前記サブフレーム構成は、フレーム中のすべてのサブフレームについての構成情報を備える、と、
物理ダウンリンク制御チャネル（ＰＤＣＣＨ）または拡張物理ダウンリンク制御チャネル（ｅＰＤＣＣＨ）の少なくとも１つにおける、一時識別子によってスクランブルされた情報フィールドを介して、ハイブリッド自動再送要求（ＨＡＲＱ）プロセスの少なくとも１つに、またはアップリンクデータ送信に使用される前記サブフレームのセットのうちの前記サブフレームの少なくとも１つのインジケーションをシグナリングすること、ここにおいて、前記一時識別子によってスクランブルされた前記情報フィールドは、前記サブフレーム構成に基づく、と
を行うためにその上に記憶された命令を有する非一時的コンピュータ可読媒体。
【請求項３４】
前記インジケーションをシグナリングすることは、ダウンリンクデータ送信に応答したハイブリッド自動再送要求（ＨＡＲＱ）応答のためのアップリンクサブフレームのインジケーションを介したものである、
請求項３３に記載の非一時的コンピュータ可読媒体。
【請求項３５】
サブフレームのセットのうちのどのサブフレームがアップリンク送信用であるか、またはサブフレームの前記セットのうちのどのサブフレームがダウンリンク送信用であるかの少なくとも１つを示すサブフレーム構成を含む情報ブロックメッセージを受信すること、ここにおいて、前記サブフレーム構成は、フレーム中のすべてのサブフレームについての構成情報を備える、と、
物理ダウンリンク制御チャネル（ＰＤＣＣＨ）または拡張物理ダウンリンク制御チャネル（ｅＰＤＣＣＨ）の少なくとも１つにおける、一時識別子によってスクランブルされた情報フィールドを介して、ハイブリッド自動再送要求（ＨＡＲＱ）プロセスの少なくとも１つに、またはアップリンクデータ送信に使用される前記サブフレームのセットのうちの前記サブフレームの少なくとも１つのインジケーションを受信することと、
前記インジケーションに従って前記サブフレームの前記少なくとも１つを処理すること、ここにおいて、前記一時識別子によってスクランブルされた前記情報フィールドは、前記サブフレーム構成に基づく、と
を行うためにその上に記憶された命令を有する非一時的コンピュータ可読媒体。
【請求項３６】
前記インジケーションを受信することは、ダウンリンクデータ送信に応答したハイブリッド自動再送要求（ＨＡＲＱ）応答のためのアップリンクサブフレームのインジケーションを介したものである、
請求項３５に記載の非一時的コンピュータ可読媒体。
【請求項３７】
物理ダウンリンク制御チャネル（ＰＤＣＣＨ）または拡張物理ダウンリンク制御チャネル（ｅＰＤＣＣＨ）の少なくとも１つにおける、一時識別子によってスクランブルされた情報フィールドを介して、アップリンクデータ送信に使用される少なくとも１つのサブフレームのインジケーションをシグナリングすること、ここにおいて、前記一時識別子によってスクランブルされた前記情報フィールドは、サブフレーム構成に基づく、と、
前記インジケーションに従った前記サブフレームの前記少なくとも１つを、前記サブフレーム構成に気づいていないユーザ機器（ＵＥ）から受信することと、
サブフレームのセットのうちのどのサブフレームがアップリンク送信用であるか、またはサブフレームの前記セットのうちのどのサブフレームがダウンリンク送信用であるかの少なくとも１つを示すこと、ここにおいて、前記サブフレーム構成は、フレーム中のすべてのサブフレームについての構成情報を備える、と
を行うためにその上に記憶された命令を有する非一時的コンピュータ可読媒体。
【請求項３８】
前記インジケーションをシグナリングすることは、ダウンリンク送信のためのサブフレームに対して、アップリンクＡＣＫ／ＮＡＣＫ送信のためのアップリンクサブフレームのインジケーションを介したものである、
請求項３７に記載の非一時的コンピュータ可読媒体。
【請求項３９】
物理ダウンリンク制御チャネル（ＰＤＣＣＨ）または拡張物理ダウンリンク制御チャネル（ｅＰＤＣＣＨ）の少なくとも１つにおける、一時識別子によってスクランブルされた情報フィールドを介して、サブフレームのセットのうちのどのサブフレームがアップリンク送信用であるか、またはサブフレームの前記セットのうちのどのサブフレームがダウンリンク送信用であるかの少なくとも１つを示すサブフレーム構成に気づくことなく、アップリンクデータ送信に使用される少なくとも１つのサブフレームのインジケーションを受信すること、ここにおいて、前記サブフレームのうちの前記少なくとも１つは、前記サブフレーム構成に基づいて決定された限定された数の有効サブフレームからの選択に基づいて構成され、前記サブフレーム構成は、フレーム中のすべてのサブフレームについての構成情報を備え、前記一時識別子によってスクランブルされた前記情報フィールドは、前記サブフレーム構成に基づく、と、
前記インジケーションに従って前記サブフレームの前記少なくとも１つを送ることと
を行うためにその上に記憶された命令を有する非一時的コンピュータ可読媒体。
【請求項４０】
前記インジケーションを受信することは、ダウンリンク送信のためのサブフレームに対して、アップリンクＡＣＫ／ＮＡＣＫ送信のためのアップリンクサブフレームのインジケーションを介したものである、
請求項３９に記載の非一時的コンピュータ可読媒体。
【手続補正２】
【補正対象書類名】明細書
【補正対象項目名】００７５
【補正方法】変更
【補正の内容】
【００７５】
[0086]上記は本開示の態様を対象とするが、本開示の他の態様およびさらなる態様は、それの基本的範囲から逸脱することなく考案され得、それの範囲は以下の特許請求の範囲によって決定される。
以下に、本願出願の当初の特許請求の範囲に記載された発明を付記する。
［Ｃ１］
ワイヤレス通信のための方法であって、
サブフレームのセットのうちのどのサブフレームがアップリンク送信用であるか、またはサブフレームの前記セットのうちのどのサブフレームがダウンリンク送信用であるかの少なくとも１つを示す第１のサブフレーム構成を含む情報ブロックメッセージをブロードキャストすることと、
１つまたは複数のユーザ機器（ＵＥ）との通信を処理するために適切な第２のサブフレーム構成を決定することと、
前記１つまたは複数のＵＥに前記第２のサブフレーム構成のインジケーションをシグナリングすることと
を備える方法。
［Ｃ２］
１つまたは複数のＵＥとの前記通信は、ＵＥのためのダウンリンクデータのバーストを備え、
前記第２のサブフレーム構成は、前記第１のサブフレーム構成よりも多くのダウンリンク送信用サブフレームを備える、
［Ｃ１］に記載の方法。
［Ｃ３］
１つまたは複数のＵＥとの前記通信は、ＵＥからのアップリンクデータのバーストを備え、
前記第２のサブフレーム構成は、前記第１のサブフレーム構成よりも多くのアップリンク送信用サブフレームを備える、
［Ｃ１］に記載の方法。
［Ｃ４］
前記第２のサブフレーム構成は、サブフレーム構成を含む別の情報ブロックメッセージをブロードキャストする前にシグナリングされる、
［Ｃ１］に記載の方法。
［Ｃ５］
前記第２のサブフレーム構成は、専用シグナリングを介して１つまたは複数の個別ＵＥにシグナリングされる、
［Ｃ１］に記載の方法。
［Ｃ６］
前記第２のサブフレーム構成は、物理ダウンリンク制御チャネル（ＰＤＣＣＨ）または拡張物理ダウンリンク制御チャネル（ｅＰＤＣＣＨ）の少なくとも１つを介してシグナリングされる、
［Ｃ５］に記載の方法。
［Ｃ７］
前記第２のサブフレーム構成は、前記ＰＤＣＣＨまたは前記ｅＰＤＣＣＨの少なくとも１つにおける情報フィールドを介してシグナリングされる、
［Ｃ６］に記載の方法。
［Ｃ８］
前記シグナリングは、前記第２のサブフレーム構成を利用するための持続時間のインジケーションも提供する、
［Ｃ１］に記載の方法。
［Ｃ９］
前記シグナリングは、前記第２のサブフレーム構成がいつ用いられるかのインジケーションも提供する、
［Ｃ１］に記載の方法。
［Ｃ１０］
前記第２のサブフレーム構成は、制御チャネル送信を介してシグナリングされ、
前記第２のサブフレーム構成を示すための前記制御チャネル送信の少なくとも１つの物理レイヤ特性は、前記第２のサブフレーム構成に基づく、
［Ｃ１］に記載の方法。
［Ｃ１１］
前記制御チャネル送信は、制御チャネル復号候補のセットを備え、前記復号候補の第１のサブセットの少なくとも１つの物理レイヤ特性は、前記第２のサブフレーム構成に基づく一方、前記復号候補の第２のサブセットの物理レイヤ特性は、前記第２のサブフレーム構成に基づかない、
［Ｃ１０］に記載の方法。
［Ｃ１２］
前記第２のサブフレーム構成は、マルチキャストシグナリングまたはブロードキャストシグナリングの少なくとも１つを介してシグナリングされる、
［Ｃ１］に記載の方法。
［Ｃ１３］
データチャネル送信または制御チャネル送信の少なくとも１つの１つまたは複数の部分の少なくとも１つの物理レイヤ特性は、前記第２のサブフレーム構成に基づく、
［Ｃ１］に記載の方法。
［Ｃ１４］
制御チャネル送信のための１つまたは複数のリソース要素（ＲＥ）のロケーションは、前記第２のサブフレーム構成に依存する、
［Ｃ１］に記載の方法。
［Ｃ１５］
前記シグナリングは、所定の数、ブロードキャスト信号、または無線リソース制御信号に基づいて繰り返される、
［Ｃ１］に記載の方法。
［Ｃ１６］
ダウンリンクデータ送信に応答したハイブリッド自動再送要求（ＨＡＲＱ）応答のためのアップリンクサブフレームのインジケーションをシグナリングすることをさらに備え、前記インジケーションは、物理ダウンリンク制御チャネル（ＰＤＣＣＨ）または拡張物理ダウンリンク制御チャネル（ｅＰＤＣＣＨ）の少なくとも１つにおける情報フィールドを介してシグナリングされる、
［Ｃ１］に記載の方法。
［Ｃ１７］
アップリンクデータ送信のためのアップリンクサブフレームのインジケーションをシグナリングすることをさらに備え、前記インジケーションは、物理ダウンリンク制御チャネル（ＰＤＣＣＨ）または拡張物理ダウンリンク制御チャネル（ｅＰＤＣＣＨ）の少なくとも１つにおける情報フィールドを介してシグナリングされる、
［Ｃ１］に記載の方法。
［Ｃ１８］
アップリンクデータ送信に応答したハイブリッド自動再送要求（ＨＡＲＱ）応答または制御チャネルのためのダウンリンクサブフレームのインジケーションをシグナリングすることをさらに備え、前記インジケーションは、物理ダウンリンク制御チャネル（ＰＤＣＣＨ）または拡張物理ダウンリンク制御チャネル（ｅＰＤＣＣＨ）の少なくとも１つにおける情報フィールドを介してシグナリングされる、
［Ｃ１］に記載の方法。
［Ｃ１９］
ワイヤレス通信のための方法であって、
サブフレームのセットのうちのどのサブフレームがアップリンク送信用であるか、またはサブフレームの前記セットのうちのどのサブフレームがダウンリンク送信用であるかの少なくとも１つを示す第１のサブフレーム構成を含むブロードキャスト情報ブロックメッセージを受信することと、
基地局との通信を処理するために適切な第２のサブフレーム構成を示すシグナリングを受信することと、
前記第２のサブフレーム構成に従って前記基地局と通信することと
を備える方法。
［Ｃ２０］
前記基地局と通信することは、前記基地局からのダウンリンクデータのバーストを備え、
前記第２のサブフレーム構成は、前記第１のサブフレーム構成よりも多くのダウンリンク送信用サブフレームを備える、
［Ｃ１９］に記載の方法。
［Ｃ２１］
前記基地局と通信することは、前記基地局のためのアップリンクデータのバーストを備え、
前記第２のサブフレーム構成は、前記第１のサブフレーム構成よりも多くのアップリンク送信用サブフレームを備える、
［Ｃ１９］に記載の方法。
［Ｃ２２］
前記第２のサブフレーム構成は、サブフレーム構成を含む別のブロードキャスト情報ブロックメッセージを受信する前にシグナリングされる、
［Ｃ１９］に記載の方法。
［Ｃ２３］
前記第２のサブフレーム構成は、専用シグナリングを介してシグナリングされる、
［Ｃ２２］に記載の方法。
［Ｃ２４］
前記第２のサブフレーム構成は、物理ダウンリンク制御チャネル（ＰＤＣＣＨ）または拡張物理ダウンリンク制御チャネル（ｅＰＤＣＣＨ）の少なくとも１つを介してシグナリングされる、
［Ｃ２３］に記載の方法。
［Ｃ２５］
前記第２のサブフレーム構成は、前記ＰＤＣＣＨまたは前記ｅＰＤＣＣＨの少なくとも１つにおける情報フィールドを介してシグナリングされる、
［Ｃ２４］に記載の方法。
［Ｃ２６］
前記シグナリングは、前記第２のサブフレーム構成を利用するための持続時間のインジケーションも提供する、
［Ｃ１９］に記載の方法。
［Ｃ２７］
前記シグナリングは、前記第２のサブフレーム構成がいつ用いられるかのインジケーションも提供する、
［Ｃ１９］に記載の方法。
［Ｃ２８］
前記第２のサブフレーム構成は、制御チャネル送信を介してシグナリングされ、
前記第２のサブフレーム構成を示すための前記制御チャネル送信の少なくとも１つの物理レイヤ特性は、前記第２のサブフレーム構成に基づく、
［Ｃ１９］に記載の方法。
［Ｃ２９］
前記制御チャネル送信は、制御チャネル復号候補のセットを備え、前記復号候補の第１のサブセットの少なくとも１つの物理レイヤ特性は、前記第２のサブフレーム構成に基づく一方、前記復号候補の第２のサブセットの物理レイヤ特性は、前記第２のサブフレーム構成に基づかない、
［Ｃ２８］に記載の方法。
［Ｃ３０］
データチャネル送信または制御チャネル送信の少なくとも１つの１つまたは複数の部分の少なくとも１つの物理レイヤ特性は、前記第２のサブフレーム構成に基づく、
［Ｃ１９］に記載の方法。
［Ｃ３１］
前記シグナリングは、所定の数、ブロードキャスト信号、または無線リソース制御信号に基づいて繰り返される、
［Ｃ１９］に記載の方法。
［Ｃ３２］
前記第２のサブフレーム構成の前記インジケーションの前記シグナリングは、前記制御チャネル送信の少なくとも１つの異なる物理レイヤ特性により繰り返される、
［Ｃ３１］に記載の方法。
［Ｃ３３］
第２のサブフレーム構成を示すシグナリングが適切に検出されなかった場合に、基地局との通信を処理するために所定のサブフレーム構成を利用することをさらに備える、
［Ｃ１９］に記載の方法。
［Ｃ３４］
前記第２のサブフレーム構成は、マルチキャストシグナリングまたはブロードキャストシグナリングの少なくとも１つを介してシグナリングされる、
［Ｃ１９］に記載の方法。
［Ｃ３５］
制御チャネル送信のための１つまたは複数のリソース要素（ＲＥ）のロケーションは、前記第２のサブフレーム構成に依存する、
［Ｃ１９］に記載の方法。
［Ｃ３６］
ダウンリンクデータ送信に応答したハイブリッド自動再送要求（ＨＡＲＱ）応答のためのアップリンクサブフレームを示すシグナリングを受信することをさらに備え、アップリンクサブフレームを示す前記シグナリングは、物理ダウンリンク制御チャネル（ＰＤＣＣＨ）または拡張物理ダウンリンク制御チャネル（ｅＰＤＣＣＨ）の少なくとも１つにおける情報フィールドを含む、
［Ｃ１９］に記載の方法。
［Ｃ３７］
アップリンクデータ送信のためのアップリンクサブフレームを示すシグナリングを受信することをさらに備え、アップリンクサブフレームを示す前記シグナリングは、物理ダウンリンク制御チャネル（ＰＤＣＣＨ）または拡張物理ダウンリンク制御チャネル（ｅＰＤＣＣＨ）の少なくとも１つにおける情報フィールドを含む、
［Ｃ１９］に記載の方法。
［Ｃ３８］
アップリンクデータ送信に応答したハイブリッド自動再送要求（ＨＡＲＱ）応答または制御チャネルのためのダウンリンクサブフレームを示すシグナリングを受信することをさらに備え、ダウンリンクサブフレームを示す前記シグナリングは、物理ダウンリンク制御チャネル（ＰＤＣＣＨ）または拡張物理ダウンリンク制御チャネル（ｅＰＤＣＣＨ）の少なくとも１つにおける情報フィールドを含む、
［Ｃ１９］に記載の方法。
［Ｃ３９］
ワイヤレス通信のための方法であって、
サブフレームのセットのうちのどのサブフレームがアップリンク送信用であるか、またはサブフレームの前記セットのうちのどのサブフレームがダウンリンク送信用であるかの少なくとも１つを示すサブフレーム構成を含む情報ブロックメッセージをブロードキャストすることと、
物理ダウンリンク制御チャネル（ＰＤＣＣＨ）または拡張物理ダウンリンク制御チャネル（ｅＰＤＣＣＨ）の少なくとも１つにおける情報フィールドを介して、ハイブリッド自動再送要求（ＨＡＲＱ）プロセスの少なくとも１つに、またはアップリンクデータ送信に使用される前記サブフレームの少なくとも１つのインジケーションをシグナリングすることと
を備える方法。
［Ｃ４０］
前記インジケーションをシグナリングすることは、ダウンリンクデータ送信に応答したハイブリッド自動再送要求（ＨＡＲＱ）応答のためのアップリンクサブフレームのインジケーションをシグナリングすることを含む、
［Ｃ３９］に記載の方法。
［Ｃ４１］
前記インジケーションをシグナリングすることは、アップリンクデータ送信のためのアップリンクサブフレームのインジケーションをシグナリングすることを含む、
［Ｃ３９］に記載の方法。
［Ｃ４２］
前記インジケーションをシグナリングすることは、アップリンクデータ送信に応答したハイブリッド自動再送要求（ＨＡＲＱ）応答または制御チャネルのためのダウンリンクサブフレームのインジケーションをシグナリングすることを含む、
［Ｃ３９］に記載の方法。
［Ｃ４３］
ワイヤレス通信のための方法であって、
サブフレームのセットのうちのどのサブフレームがアップリンク送信用であるか、またはサブフレームの前記セットのうちのどのサブフレームがダウンリンク送信用であるかの少なくとも１つを示すサブフレーム構成を含む情報ブロックメッセージを受信することと、
物理ダウンリンク制御チャネル（ＰＤＣＣＨ）または拡張物理ダウンリンク制御チャネル（ｅＰＤＣＣＨ）の少なくとも１つにおける情報フィールドを介して、ハイブリッド自動再送要求（ＨＡＲＱ）プロセスの少なくとも１つに、またはアップリンクデータ送信に使用される前記サブフレームの少なくとも１つのインジケーションを受信することと、
前記インジケーションに従って前記サブフレームの前記少なくとも１つを処理することと
を備える方法。
［Ｃ４４］
前記インジケーションを受信することは、ダウンリンクデータ送信に応答したハイブリッド自動再送要求（ＨＡＲＱ）応答のためのアップリンクサブフレームのインジケーションを受信することを含む、
［Ｃ４３］に記載の方法。
［Ｃ４５］
前記インジケーションを受信することは、アップリンクデータ送信のためのアップリンクサブフレームのインジケーションを受信することを含む、
［Ｃ４４］に記載の方法。
［Ｃ４６］
前記インジケーションを受信することは、アップリンクデータ送信に応答したハイブリッド自動再送要求（ＨＡＲＱ）応答または制御チャネルのためのダウンリンクサブフレームのインジケーションを受信することを含む、
［Ｃ４３］に記載の方法。
［Ｃ４７］
ワイヤレス通信のための方法であって、
物理ダウンリンク制御チャネル（ＰＤＣＣＨ）または拡張物理ダウンリンク制御チャネル（ｅＰＤＣＣＨ）の少なくとも１つにおける情報フィールドを介して、アップリンクデータ送信に使用される少なくとも１つのサブフレームのインジケーションをシグナリングすることと、
前記インジケーションに従った前記サブフレームの前記少なくとも１つを、サブフレームのセットのうちのどのサブフレームがアップリンク送信用であるか、またはサブフレームの前記セットのうちのどのサブフレームがダウンリンク送信用であるかの少なくとも１つを示すサブフレーム構成に気づいていないユーザ機器（ＵＥ）から受信することと
を備える方法。
［Ｃ４８］
前記インジケーションをシグナリングすることは、ダウンリンク送信のためのサブフレームに対して、アップリンクＡＣＫ／ＮＡＣＫ送信のためのアップリンクサブフレームのインジケーションをシグナリングすることを含む、
［Ｃ４７］に記載の方法。
［Ｃ４９］
ワイヤレス通信のための方法であって、
物理ダウンリンク制御チャネル（ＰＤＣＣＨ）または拡張物理ダウンリンク制御チャネル（ｅＰＤＣＣＨ）の少なくとも１つにおける情報フィールドを介して、サブフレームのセットのうちのどのサブフレームがアップリンク送信用であるか、またはサブフレームの前記セットのうちのどのサブフレームがダウンリンク送信用であるかの少なくとも１つを示すサブフレーム構成に気づくことなく、アップリンクデータ送信に使用される少なくとも１つのサブフレームのインジケーションを受信することと、前記インジケーションに従って前記サブフレームの前記少なくとも１つを送ることと
を備える方法。
［Ｃ５０］
前記インジケーションを受信することは、ダウンリンク送信のためのサブフレームに対して、アップリンクＡＣＫ／ＮＡＣＫ送信のためのアップリンクサブフレームのインジケーションを受信することを含む、
［Ｃ４９］に記載の方法。
［Ｃ５１］
ワイヤレス通信のための装置であって、
サブフレームのセットのうちのどのサブフレームがアップリンク送信用であるか、またはサブフレームの前記セットのうちのどのサブフレームがダウンリンク送信用であるかの少なくとも１つを示す第１のサブフレーム構成を含む情報ブロックメッセージをブロードキャストするための手段と、
１つまたは複数のユーザ機器（ＵＥ）との通信を処理するために適切な第２のサブフレーム構成を決定するための手段と、
前記１つまたは複数のＵＥに前記第２のサブフレーム構成のインジケーションをシグナリングするための手段と
を備える装置。
［Ｃ５２］
１つまたは複数のＵＥとの前記通信は、ＵＥのためのダウンリンクデータのバーストを備え、
前記第２のサブフレーム構成は、前記第１のサブフレーム構成よりも多くのダウンリンク送信用サブフレームを備える、
［Ｃ５１］に記載の装置。
［Ｃ５３］
１つまたは複数のＵＥとの前記通信は、ＵＥからのアップリンクデータのバーストを備え、
前記第２のサブフレーム構成は、前記第１のサブフレーム構成よりも多くのアップリンク送信用サブフレームを備える、
［Ｃ５１］に記載の装置。
［Ｃ５４］
前記第２のサブフレーム構成は、サブフレーム構成を含む別の情報ブロックメッセージをブロードキャストする前にシグナリングされる、
［Ｃ５１］に記載の装置。
［Ｃ５５］
前記第２のサブフレーム構成は、専用シグナリングを介して１つまたは複数の個別ＵＥにシグナリングされる、
［Ｃ５１］に記載の装置。
［Ｃ５６］
前記第２のサブフレーム構成は、物理ダウンリンク制御チャネル（ＰＤＣＣＨ）または拡張物理ダウンリンク制御チャネル（ｅＰＤＣＣＨ）の少なくとも１つを介してシグナリングされる、
［Ｃ５５］に記載の装置。
［Ｃ５７］
前記第２のサブフレーム構成は、マルチキャストシグナリングまたはブロードキャストシグナリングの少なくとも１つを介してシグナリングされる、
［Ｃ５１］に記載の装置。
［Ｃ５８］
ワイヤレス通信のための装置であって、
サブフレームのセットのうちのどのサブフレームがアップリンク送信用であるか、またはサブフレームの前記セットのうちのどのサブフレームがダウンリンク送信用であるかの少なくとも１つを示す第１のサブフレーム構成を含むブロードキャスト情報ブロックメッセージを受信するための手段と、
基地局との通信を処理するために適切な第２のサブフレーム構成を示すシグナリングを受信するための手段と、
前記第２のサブフレーム構成に従って前記基地局と通信するための手段と
を備える装置。
［Ｃ５９］
前記基地局と通信するための前記手段は、前記基地局からのダウンリンクデータのバーストを介して通信するための手段を備え、
前記第２のサブフレーム構成は、前記第１のサブフレーム構成よりも多くのダウンリンク送信用サブフレームを備える、
［Ｃ５８］に記載の装置。
［Ｃ６０］
前記基地局と通信するための手段は、前記基地局のためのアップリンクデータのバーストを介して通信するための手段を備え、
前記第２のサブフレーム構成は、前記第１のサブフレーム構成よりも多くのアップリンク送信用サブフレームを備える、
［Ｃ５８］に記載の装置。
［Ｃ６１］
前記第２のサブフレーム構成は、サブフレーム構成を含む別のブロードキャスト情報ブロックメッセージを受信する前にシグナリングされる、
［Ｃ５８］に記載の装置。
［Ｃ６２］
前記第２のサブフレーム構成は、専用シグナリングを介してシグナリングされる、
［Ｃ６１］に記載の装置。
［Ｃ６３］
前記第２のサブフレーム構成は、物理ダウンリンク制御チャネル（ＰＤＣＣＨ）または拡張物理ダウンリンク制御チャネル（ｅＰＤＣＣＨ）の少なくとも１つを介してシグナリングされる、
［Ｃ６２］に記載の装置。
［Ｃ６４］
前記シグナリングは、所定の数、ブロードキャスト信号、または無線リソース制御信号に基づいて繰り返される、
［Ｃ５８］に記載の装置。
［Ｃ６５］
前記第２のサブフレーム構成の前記インジケーションの前記シグナリングは、前記制御チャネル送信の少なくとも１つの異なる物理レイヤ特性により繰り返される、
［Ｃ６４］に記載の装置。
［Ｃ６６］
前記第２のサブフレーム構成は、マルチキャストシグナリングまたはブロードキャストシグナリングの少なくとも１つを介してシグナリングされる、
［Ｃ５８］に記載の装置。
［Ｃ６７］
ワイヤレス通信のための装置であって、
サブフレームのセットのうちのどのサブフレームがアップリンク送信用であるか、またはサブフレームの前記セットのうちのどのサブフレームがダウンリンク送信用であるかの少なくとも１つを示すサブフレーム構成を含む情報ブロックメッセージをブロードキャストするための手段と、
物理ダウンリンク制御チャネル（ＰＤＣＣＨ）または拡張物理ダウンリンク制御チャネル（ｅＰＤＣＣＨ）の少なくとも１つにおける情報フィールドを介して、ハイブリッド自動再送要求（ＨＡＲＱ）プロセスの少なくとも１つに、またはアップリンクデータ送信に使用される前記サブフレームの少なくとも１つのインジケーションをシグナリングするための手段と
を備える装置。
［Ｃ６８］
前記インジケーションをシグナリングするための前記手段は、ダウンリンクデータ送信に応答したハイブリッド自動再送要求（ＨＡＲＱ）応答のためのアップリンクサブフレームのインジケーションをシグナリングするための手段を含む、
［Ｃ６７］に記載の装置。
［Ｃ６９］
前記インジケーションをシグナリングするための前記手段は、アップリンクデータ送信のためのアップリンクサブフレームのインジケーションをシグナリングするための手段を含む、
［Ｃ６７］に記載の装置。
［Ｃ７０］
ワイヤレス通信のための装置であって、
サブフレームのセットのうちのどのサブフレームがアップリンク送信用であるか、またはサブフレームの前記セットのうちのどのサブフレームがダウンリンク送信用であるかの少なくとも１つを示すサブフレーム構成を含む情報ブロックメッセージを受信するための手段と、
物理ダウンリンク制御チャネル（ＰＤＣＣＨ）または拡張物理ダウンリンク制御チャネル（ｅＰＤＣＣＨ）の少なくとも１つにおける情報フィールドを介して、ハイブリッド自動再送要求（ＨＡＲＱ）プロセスの少なくとも１つに、またはアップリンクデータ送信に使用される前記サブフレームの少なくとも１つのインジケーションを受信するための手段と、
前記インジケーションに従って前記サブフレームの前記少なくとも１つを処理するための手段と
を備える装置。
［Ｃ７１］
前記インジケーションを受信するための前記手段は、ダウンリンクデータ送信に応答したハイブリッド自動再送要求（ＨＡＲＱ）応答のためのアップリンクサブフレームのインジケーションを受信するための手段を含む、
［Ｃ７０］に記載の装置。
［Ｃ７２］
前記インジケーションを受信するための前記手段は、アップリンクデータ送信のためのアップリンクサブフレームのインジケーションを受信するための手段を含む、
［Ｃ７１］に記載の装置。
［Ｃ７３］
ワイヤレス通信のための装置であって、
物理ダウンリンク制御チャネル（ＰＤＣＣＨ）または拡張物理ダウンリンク制御チャネル（ｅＰＤＣＣＨ）の少なくとも１つにおける情報フィールドを介して、アップリンクデータ送信に使用される少なくとも１つのサブフレームのインジケーションをシグナリングするための手段と、
前記インジケーションに従った前記サブフレームの前記少なくとも１つを、サブフレームのセットのうちのどのサブフレームがアップリンク送信用であるか、またはサブフレームの前記セットのうちのどのサブフレームがダウンリンク送信用であるかの少なくとも１つを示すサブフレーム構成に気づいていないユーザ機器（ＵＥ）から受信するための手段と
を備える装置。
［Ｃ７４］
前記インジケーションをシグナリングするための前記手段は、ダウンリンク送信のためのサブフレームに対して、アップリンクＡＣＫ／ＮＡＣＫ送信のためのアップリンクサブフレームのインジケーションをシグナリングするための手段を含む、
［Ｃ７３］に記載の装置。
［Ｃ７５］
ワイヤレス通信のための装置であって、
物理ダウンリンク制御チャネル（ＰＤＣＣＨ）または拡張物理ダウンリンク制御チャネル（ｅＰＤＣＣＨ）の少なくとも１つにおける情報フィールドを介して、サブフレームのセットのうちのどのサブフレームがアップリンク送信用であるか、またはサブフレームの前記セットのうちのどのサブフレームがダウンリンク送信用であるかの少なくとも１つを示すサブフレーム構成に気づくことなく、アップリンクデータ送信に使用される少なくとも１つのサブフレームのインジケーションを受信するための手段と、
前記インジケーションに従って前記サブフレームの前記少なくとも１つを送るための手段と
を備える装置。
［Ｃ７６］
前記インジケーションを受信するための前記手段は、ダウンリンク送信のためのサブフレームに対して、アップリンクＡＣＫ／ＮＡＣＫ送信のためのアップリンクサブフレームのインジケーションを受信するための手段を含む、
［Ｃ７５］に記載の装置。
［Ｃ７７］
ワイヤレス通信のための装置であって、
サブフレームのセットのうちのどのサブフレームがアップリンク送信用であるか、またはサブフレームの前記セットのうちのどのサブフレームがダウンリンク送信用であるかの少なくとも１つを示す第１のサブフレーム構成を含む情報ブロックメッセージをブロードキャストし、１つまたは複数のユーザ機器（ＵＥ）との通信を処理するために適切な第２のサブフレーム構成を決定し、前記１つまたは複数のＵＥに前記第２のサブフレーム構成のインジケーションをシグナリングするように構成される少なくとも１つのプロセッサと、
前記少なくとも１つのプロセッサに結合されたメモリと
を備える装置。
［Ｃ７８］
１つまたは複数のＵＥとの前記通信は、ＵＥのためのダウンリンクデータのバーストを備え、
前記第２のサブフレーム構成は、前記第１のサブフレーム構成よりも多くのダウンリンク送信用サブフレームを備える、
［Ｃ７７］に記載の装置。
［Ｃ７９］
１つまたは複数のＵＥとの前記通信は、ＵＥからのアップリンクデータのバーストを備え、
前記第２のサブフレーム構成は、前記第１のサブフレーム構成よりも多くのアップリンク送信用サブフレームを備える、
［Ｃ７７］に記載の装置。
［Ｃ８０］
前記第２のサブフレーム構成は、サブフレーム構成を含む別の情報ブロックメッセージをブロードキャストする前にシグナリングされる、
［Ｃ７７］に記載の装置。
［Ｃ８１］
ワイヤレス通信のための装置であって、
サブフレームのセットのうちのどのサブフレームがアップリンク送信用であるか、またはサブフレームの前記セットのうちのどのサブフレームがダウンリンク送信用であるかの少なくとも１つを示す第１のサブフレーム構成を含むブロードキャスト情報ブロックメッセージを受信し、基地局との通信を処理するために適切な第２のサブフレーム構成を示すシグナリングを受信し、前記第２のサブフレーム構成に従って前記基地局と通信するように構成される少なくとも１つのプロセッサと、
前記少なくとも１つのプロセッサに結合されたメモリと
を備える装置。
［Ｃ８２］
前記少なくとも１つのプロセッサは、前記基地局からのダウンリンクデータのバーストを介して前記基地局と通信するように構成され、
前記第２のサブフレーム構成は、前記第１のサブフレーム構成よりも多くのダウンリンク送信用サブフレームを備える、
［Ｃ８１］に記載の装置。
［Ｃ８３］
前記少なくとも１つのプロセッサは、前記基地局のためのアップリンクデータのバーストを介して前記基地局と通信するように構成され、
前記第２のサブフレーム構成は、前記第１のサブフレーム構成よりも多くのアップリンク送信用サブフレームを備える、
［Ｃ８１］に記載の装置。
［Ｃ８４］
前記第２のサブフレーム構成は、サブフレーム構成を含む別のブロードキャスト情報ブロックメッセージを受信する前にシグナリングされる、
［Ｃ８１］に記載の装置。
［Ｃ８５］
ワイヤレス通信のための装置であって、
サブフレームのセットのうちのどのサブフレームがアップリンク送信用であるか、またはサブフレームの前記セットのうちのどのサブフレームがダウンリンク送信用であるかの少なくとも１つを示すサブフレーム構成を含む情報ブロックメッセージをブロードキャストし、物理ダウンリンク制御チャネル（ＰＤＣＣＨ）または拡張物理ダウンリンク制御チャネル（ｅＰＤＣＣＨ）の少なくとも１つにおける情報フィールドを介して、ハイブリッド自動再送要求（ＨＡＲＱ）プロセスの少なくとも１つに、またはアップリンクデータ送信に使用される前記サブフレームの少なくとも１つのインジケーションをシグナリングするように構成される少なくとも１つのプロセッサと、
前記少なくとも１つのプロセッサに結合されたメモリと
を備える装置。
［Ｃ８６］
前記少なくとも１つのプロセッサは、前記インジケーションを、ダウンリンクデータ送信に応答したハイブリッド自動再送要求（ＨＡＲＱ）応答のためのアップリンクサブフレームのインジケーションを介してシグナリングするように構成される、
［Ｃ８５］に記載の装置。
［Ｃ８７］
前記少なくとも１つのプロセッサは、前記インジケーションを、アップリンクデータ送信のためのアップリンクサブフレームのインジケーションを介してシグナリングするように構成される、
［Ｃ８５］に記載の装置。
［Ｃ８８］
ワイヤレス通信のための装置であって、
サブフレームのセットのうちのどのサブフレームがアップリンク送信用であるか、またはサブフレームの前記セットのうちのどのサブフレームがダウンリンク送信用であるかの少なくとも１つを示すサブフレーム構成を含む情報ブロックメッセージを受信し、物理ダウンリンク制御チャネル（ＰＤＣＣＨ）または拡張物理ダウンリンク制御チャネル（ｅＰＤＣＣＨ）の少なくとも１つにおける情報フィールドを介して、ハイブリッド自動再送要求（ＨＡＲＱ）プロセスの少なくとも１つに、またはアップリンクデータ送信に使用される前記サブフレームの少なくとも１つのインジケーションを受信し、前記インジケーションに従った前記サブフレームの前記少なくとも１つを処理するように構成される少なくとも１つのプロセッサと、
前記少なくとも１つのプロセッサに結合されたメモリと
を備える装置。
［Ｃ８９］
前記少なくとも１つのプロセッサは、前記インジケーションを、ダウンリンクデータ送信に応答したハイブリッド自動再送要求（ＨＡＲＱ）応答のためのアップリンクサブフレームのインジケーションを介して受信するように構成される、
［Ｃ８８］に記載の装置。
［Ｃ９０］
前記少なくとも１つのプロセッサは、前記インジケーションを、アップリンクデータ送信のためのアップリンクサブフレームのインジケーションを介して受信するように構成される、
［Ｃ８９］に記載の装置。
［Ｃ９１］
ワイヤレス通信のための装置であって、
物理ダウンリンク制御チャネル（ＰＤＣＣＨ）または拡張物理ダウンリンク制御チャネル（ｅＰＤＣＣＨ）の少なくとも１つにおける情報フィールドを介して、アップリンクデータ送信に使用される少なくとも１つのサブフレームのインジケーションをシグナリングし、前記インジケーションに従った前記サブフレームの前記少なくとも１つを、サブフレームのセットのうちのどのサブフレームがアップリンク送信用であるか、またはサブフレームの前記セットのうちのどのサブフレームがダウンリンク送信用であるかの少なくとも１つを示すサブフレーム構成に気づいていないユーザ機器（ＵＥ）から受信するように構成される少なくとも１つのプロセッサと、
前記少なくとも１つのプロセッサに結合されたメモリと
を備える装置。
［Ｃ９２］
前記少なくとも１つのプロセッサは、前記インジケーションを、ダウンリンク送信のためのサブフレームに対して、アップリンクＡＣＫ／ＮＡＣＫ送信のためのアップリンクサブフレームのインジケーションを介してシグナリングするように構成される、
［Ｃ９１］に記載の装置。
［Ｃ９３］
ワイヤレス通信のための装置であって、
物理ダウンリンク制御チャネル（ＰＤＣＣＨ）または拡張物理ダウンリンク制御チャネル（ｅＰＤＣＣＨ）の少なくとも１つにおける情報フィールドを介して、サブフレームのセットのうちのどのサブフレームがアップリンク送信用であるか、またはサブフレームの前記セットのうちのどのサブフレームがダウンリンク送信用であるかの少なくとも１つを示すサブフレーム構成に気づくことなく、アップリンクデータ送信に使用される少なくとも１つのサブフレームのインジケーションを受信し、前記インジケーションに従って前記サブフレームの前記少なくとも１つを送るように構成される少なくとも１つのプロセッサと、
前記少なくとも１つのプロセッサに結合されたメモリと
を備える装置。
［Ｃ９４］
前記少なくとも１つのプロセッサは、前記インジケーションを、ダウンリンク送信のためのサブフレームに対して、アップリンクＡＣＫ／ＮＡＣＫ送信のためのアップリンクサブフレームのインジケーションを介して受信するように構成される、
［Ｃ９３］に記載の装置。
［Ｃ９５］
ワイヤレス通信のためのプログラム製品であって、
サブフレームのセットのうちのどのサブフレームがアップリンク送信用であるか、またはサブフレームの前記セットのうちのどのサブフレームがダウンリンク送信用であるかの少なくとも１つを示す第１のサブフレーム構成を含む情報ブロックメッセージをブロードキャストし、１つまたは複数のユーザ機器（ＵＥ）との通信を処理するために適切な第２のサブフレーム構成を決定することと、
前記１つまたは複数のＵＥに前記第２のサブフレーム構成のインジケーションをシグナリングすることと
を行うための命令をその上に記憶したコンピュータ可読媒体を備える、プログラム製品。
［Ｃ９６］
１つまたは複数のＵＥとの前記通信は、ＵＥのためのダウンリンクデータのバーストを備え、
前記第２のサブフレーム構成は、前記第１のサブフレーム構成よりも多くのダウンリンク送信用サブフレームを備える、
［Ｃ９５］に記載のプログラム製品。
［Ｃ９７］
ワイヤレス通信のためのプログラム製品であって、
サブフレームのセットのうちのどのサブフレームがアップリンク送信用であるか、またはサブフレームの前記セットのうちのどのサブフレームがダウンリンク送信用であるかの少なくとも１つを示す第１のサブフレーム構成を含むブロードキャスト情報ブロックメッセージを受信することと、
基地局との通信を処理するために適切な第２のサブフレーム構成を示すシグナリングを受信することと、
前記第２のサブフレーム構成に従って前記基地局と通信することと
を行うための命令をその上に記憶したコンピュータ可読媒体を備えるプログラム製品。
［Ｃ９８］
前記通信することは、前記基地局からのダウンリンクデータのバーストを介して前記基地局と通信することを備え、
前記第２のサブフレーム構成は、前記第１のサブフレーム構成よりも多くのダウンリンク送信用サブフレームを備える、
［Ｃ９７］に記載のプログラム製品。
［Ｃ９９］
ワイヤレス通信のためのプログラム製品であって、
サブフレームのセットのうちのどのサブフレームがアップリンク送信用であるか、またはサブフレームの前記セットのうちのどのサブフレームがダウンリンク送信用であるかの少なくとも１つを示すサブフレーム構成を含む情報ブロックメッセージをブロードキャストすることと、
物理ダウンリンク制御チャネル（ＰＤＣＣＨ）または拡張物理ダウンリンク制御チャネル（ｅＰＤＣＣＨ）の少なくとも１つにおける情報フィールドを介して、ハイブリッド自動再送要求（ＨＡＲＱ）プロセスの少なくとも１つに、またはアップリンクデータ送信に使用される前記サブフレームの少なくとも１つのインジケーションをシグナリングすることと
を行うための命令をその上に記憶したコンピュータ可読媒体を備える、プログラム製品。
［Ｃ１００］
前記インジケーションをシグナリングすることは、ダウンリンクデータ送信に応答したハイブリッド自動再送要求（ＨＡＲＱ）応答のためのアップリンクサブフレームのインジケーションを介したものである、
［Ｃ９９］に記載のプログラム製品。
［Ｃ１０１］
ワイヤレス通信のためのプログラム製品であって、
サブフレームのセットのうちのどのサブフレームがアップリンク送信用であるか、またはサブフレームの前記セットのうちのどのサブフレームがダウンリンク送信用であるかの少なくとも１つを示すサブフレーム構成を含む情報ブロックメッセージを受信することと、
物理ダウンリンク制御チャネル（ＰＤＣＣＨ）または拡張物理ダウンリンク制御チャネル（ｅＰＤＣＣＨ）の少なくとも１つにおける情報フィールドを介して、ハイブリッド自動再送要求（ＨＡＲＱ）プロセスの少なくとも１つに、またはアップリンクデータ送信に使用される前記サブフレームの少なくとも１つのインジケーションを受信することと、
前記インジケーションに従って前記サブフレームの前記少なくとも１つを処理することと
を行うための命令をその上に記憶したコンピュータ可読媒体を備える、プログラム製品。
［Ｃ１０２］
前記インジケーションを受信することは、ダウンリンクデータ送信に応答したハイブリッド自動再送要求（ＨＡＲＱ）応答のためのアップリンクサブフレームのインジケーションを介したものである、
［Ｃ１０１］に記載のプログラム製品。
［Ｃ１０３］
ワイヤレス通信のためのプログラム製品であって、
物理ダウンリンク制御チャネル（ＰＤＣＣＨ）または拡張物理ダウンリンク制御チャネル（ｅＰＤＣＣＨ）の少なくとも１つにおける情報フィールドを介して、アップリンクデータ送信に使用される少なくとも１つのサブフレームのインジケーションをシグナリングすることと、
前記インジケーションに従った前記サブフレームの前記少なくとも１つを、サブフレーム構成に気づいていないユーザ機器（ＵＥ）から受信することと、
サブフレームのセットのうちのどのサブフレームがアップリンク送信用であるか、またはサブフレームの前記セットのうちのどのサブフレームがダウンリンク送信用であるかの少なくとも１つを示すことと
を行うための命令をその上に記憶したコンピュータ可読媒体を備える、プログラム製品。
［Ｃ１０４］
前記インジケーションをシグナリングすることは、ダウンリンク送信のためのサブフレームに対して、アップリンクＡＣＫ／ＮＡＣＫ送信のためのアップリンクサブフレームのインジケーションを介したものである、
［Ｃ１０３］に記載のプログラム製品。
［Ｃ１０５］
ワイヤレス通信のためのプログラム製品であって、
物理ダウンリンク制御チャネル（ＰＤＣＣＨ）または拡張物理ダウンリンク制御チャネル（ｅＰＤＣＣＨ）の少なくとも１つにおける情報フィールドを介して、サブフレームのセットのうちのどのサブフレームがアップリンク送信用であるか、またはサブフレームの前記セットのうちのどのサブフレームがダウンリンク送信用であるかの少なくとも１つを示すサブフレーム構成に気づくことなく、アップリンクデータ送信に使用される少なくとも１つのサブフレームのインジケーションを受信することと、
前記インジケーションに従って前記サブフレームの前記少なくとも１つを送ることと
を行うための命令をその上に記憶したコンピュータ可読媒体を備える、プログラム製品。
［Ｃ１０６］
前記インジケーションを受信することは、ダウンリンク送信のためのサブフレームに対して、アップリンクＡＣＫ／ＮＡＣＫ送信のためのアップリンクサブフレームのインジケーションを介したものである、
［Ｃ１０５］に記載のプログラム製品。
【外国語明細書】
2020092441000001.pdf